(57)【特許請求の範囲】
【請求項１】
映像信号に基づく画像表示が行われる画像表示部の表示特性に応じた信号レベルについての非線形処理による映像信号の補正を行う非線形処理手段と、
上記映像信号における画素の水平垂直方向の位置を判別する水平垂直位置判別手段と、
上記水平垂直位置判別手段での判別に用いる水平垂直領域情報と、映像信号による画像領域との相対位置関係を変化させて、上記水平垂直位置判別手段での上記判別が行われるようにする水平垂直相対位置可変手段と、
上記映像信号における画素の信号レベルを判別するレベル判別手段と、
上記水平垂直位置判別手段で判別された水平垂直方向の位置及び上記レベル判別手段で判別された信号レベルに応じて、信号レベルについての三次元補正値を発生し、映像信号の三次元補正を行う三次元補正手段と、
上記非線形処理手段で補正された映像信号と、上記三次元補正手段で補正された映像信号を合成して出力する合成手段と、を備え、
上記水平垂直相対位置可変手段は、上記水平垂直位置判別手段に対して水平方向のオフセット値、及び垂直方向のオフセット値を与えることで、上記相対位置関係を変化させること
を特徴とする非線形処理装置。
【請求項２】
映像信号に基づく画像表示が行われる画像表示部の表示特性に応じた信号レベルについての非線形処理による映像信号の補正を行う非線形処理手段と、
上記映像信号における画素の水平垂直方向の位置を判別する水平垂直位置判別手段と、
上記水平垂直位置判別手段での判別に用いる水平垂直領域情報と、映像信号による画像領域との相対位置関係を変化させて、上記水平垂直位置判別手段での上記判別が行われるようにする水平垂直相対位置可変手段と、
上記映像信号における画素の信号レベルを判別するレベル判別手段と、
上記水平垂直位置判別手段で判別された水平垂直方向の位置及び上記レベル判別手段で判別された信号レベルに応じて、信号レベルについての三次元補正値を発生し、映像信号の三次元補正を行う三次元補正手段と、
上記非線形処理手段で補正された映像信号と、上記三次元補正手段で補正された映像信号を合成して出力する合成手段と、を備え、
上記水平垂直相対位置可変手段は、上記水平垂直領域情報と上記画像領域とのずれ量が、垂直又は水平方向に平均化されるように、上記相対位置関係を変化させること
を特徴とする非線形処理装置。
【請求項３】
映像信号に基づく画像表示が行われる画像表示部の表示特性に応じた信号レベルについての非線形処理による映像信号の補正を行う非線形処理手段と、
上記映像信号における画素の水平垂直方向の位置を判別する水平垂直位置判別手段と、
上記水平垂直位置判別手段での判別に用いる水平垂直領域情報と、映像信号による画像領域との相対位置関係を変化させて、上記水平垂直位置判別手段での上記判別が行われるようにする水平垂直相対位置可変手段と、
上記映像信号における画素の信号レベルを判別するレベル判別手段と、
上記水平垂直位置判別手段で判別された水平垂直方向の位置及び上記レベル判別手段で判別された信号レベルに応じて、信号レベルについての三次元補正値を発生し、映像信号の三次元補正を行う三次元補正手段と、
上記非線形処理手段で補正された映像信号と、上記三次元補正手段で補正された映像信号を合成して出力する合成手段と、
上記合成手段から出力された映像信号に基づいて画像表示を行う画像表示部を有する画像表示手段と、を備え、
上記水平垂直相対位置可変手段は、上記水平垂直位置判別手段に対して水平方向のオフセット値、及び垂直方向のオフセット値を与えることで、上記相対位置関係を変化させること
を特徴とする画像表示装置。
【請求項４】
映像信号に基づく画像表示が行われる画像表示部の表示特性に応じた信号レベルについての非線形処理による映像信号の補正を行う非線形処理手段と、
上記映像信号における画素の水平垂直方向の位置を判別する水平垂直位置判別手段と、
上記水平垂直位置判別手段での判別に用いる水平垂直領域情報と、映像信号による画像領域との相対位置関係を変化させて、上記水平垂直位置判別手段での上記判別が行われるようにする水平垂直相対位置可変手段と、
上記映像信号における画素の信号レベルを判別するレベル判別手段と、
上記水平垂直位置判別手段で判別された水平垂直方向の位置及び上記レベル判別手段で判別された信号レベルに応じて、信号レベルについての三次元補正値を発生し、映像信号の三次元補正を行う三次元補正手段と、
上記非線形処理手段で補正された映像信号と、上記三次元補正手段で補正された映像信号を合成して出力する合成手段と、
上記合成手段から出力された映像信号に基づいて画像表示を行う画像表示部を有する画像表示手段と、を備え、
上記水平垂直相対位置可変手段は、上記水平垂直領域情報と上記画像領域とのずれ量が、垂直又は水平方向に平均化されるように、上記相対位置関係を変化させること
を特徴とする画像表示装置。
【発明の詳細な説明】
【０００１】
【発明の属する技術分野】
本発明は、映像信号に、それに基づく画像表示が行われる画像表示部の表示特性に応じた、レベルについての非線形処理による補正を施す非線形処理装置、及びその非線形処理装置を用いた画像表示装置に関するものである。
【０００２】
【従来の技術】
映像信号を、例えば、画像表示用の液晶表示パネル部等とされる画像表示部に供給して、映像信号に基づく画像を得るにあたり、映像信号に、そのレベルについての画像表示部の表示特性に応じた非線形処理による補正を施すことが提案されている。このような映像信号のレベル（電圧レベル）についての非線形処理による補正は、通常「γ補正」と呼ばれる。
【０００３】
例えば、画像表示部が画像表示用の液晶表示パネル部によって形成される場合、映像信号に基づく画像表示が液晶表示パネル部に内蔵される液晶パネルにおいてなされるが、その画像表示は、原理的には、液晶パネルにおける映像信号のレベルの変化に応答した光透過率の変化に因るものとされる。
図２１は、画像表示用の液晶表示パネル部に内蔵される液晶パネルの一例についての、入力電圧Ｖと光透過率Ｔとの関係を示す入力電圧−光透過率特性をあらわす。この入力電圧−光透過率特性は、一見して明らかなように非線形特性であり、斯かる表示特性を有した液晶パネルにおいて画像表示を行う液晶表示パネル部に供給される映像信号には、その非線形特性を補正すべくレベル補正がなされることが要求される。
【０００４】
この要求に従って映像信号に施されるレベル補正がγ補正であり、従って、画像表示用の液晶表示パネル部が用いられる場合におけるγ補正は、液晶表示パネル部の表示特性である液晶表示パネル部に内蔵された液晶パネルの入力電圧−光透過率特性に応じた、液晶表示パネル部に供給される映像信号のレベルについての非線形処理による補正とされる。
【０００５】
図２２は、映像信号のレベルについてのγ補正を行う従来の画像表示装置の例を示している。
この場合、カラー映像信号を形成する赤色原色映像信号ＳＲ，緑色原色映像信号ＳＧ、青色原色映像信号ＳＢが、夫々、アナログ／デジタル（Ａ／Ｄ）変換部１２１Ｒ，１２１Ｇ，１２１Ｂにおいてデジタル化され、デジタル赤色原色信号ＤＲ，デジタル緑色原色信号ＤＧ，デジタル青色原色信号ＤＢとされる。
これらのデジタル赤色原色信号ＤＲ，デジタル緑色原色信号ＤＧ，デジタル青色原色信号ＤＢは、コントラスト・ブライトネス調整部１２２に供給されて、夫々についてのコントラスト調整とブライトネス調整とが行われる。そして、コントラスト・ブライトネス調整部１２２から得られる調整されたデジタル赤色原色信号ＤＲＡ，デジタル緑色原色信号ＤＧＡ，デジタル青色原色信号ＤＢＡが、ホワイトバランス調整部１２３に供給される。
【０００６】
ホワイトバランス調整部１２３においては、デジタル赤色原色信号ＤＲＡについてのゲイン調整部１２４Ｒによるゲイン調整、及び直流レベル調整部１２５Ｒによる直流レベル調整が行われ、直流レベル調整部１２５Ｒから調整されたデジタル赤色原色信号ＤＲＢが得られる。
また、デジタル緑色原色信号ＤＧＡについても、同様にゲイン調整部１２４Ｇ及び直流レベル調整部１２５Ｇによる処理が行われ、さらに、デジタル青色原色信号ＤＢＡについても、ゲイン調整部１２４Ｂ及び直流レベル調整部１２５Ｂによる処理が行われる。
このようにして得られるデジタル赤色原色信号ＤＲＢ，デジタル緑色原色信号ＤＧＢ及びデジタル青色原色信号ＤＢＢは、相互間の相対直流レベルの設定が適正になされて、ホワイトバランス調整が行われたものとされる。
【０００７】
ホワイトバランス調整部１２３から得られるデジタル赤色原色信号ＤＲＢ，デジタル緑色原色信号ＤＧＢ及びデジタル青色原色信号ＤＢＢは、γ補正部１２６に供給される。
γ補正部１２６においては、デジタル赤色原色信号ＤＲＢが非線形処理部１２７Ｒによる、そのレベルについての非線形処理を受ける。
デジタル緑色原色信号ＤＧＢ、デジタル青色原色信号ＤＢＢも、同様に非線形処理部１２７Ｇ、１２７Ｂにより非線形処理を受ける。
【０００８】
非線形処理部１２７Ｒは、後述する液晶表示パネル部１１８Ｒの表示特性、即ち、液晶表示パネル部１１８Ｒに内蔵された液晶パネルの入力電圧−光透過率特性とは逆の関係となる非線形特性をあらわすことになる補正信号データテーブルを内蔵しており、デジタル赤色原色信号ＤＲＢの信号レベルを、逐次、補正信号データテーブルに照合して、該当する補正信号データを読み出し、それらを信号レベルについての補正がなされたデジタル赤色原色信号ＤＲＣとして導出する。それにより、非線形処理部１２７Ｒから導出されるデジタル赤色原色信号ＤＲＣは、液晶表示パネル部１１８Ｒに内蔵された液晶パネルの、例えば、図２１に示される如くの入力電圧−光透過率特性を補正すべく、その信号レベルについての非線形処理による補正、即ち、γ補正が施されたものとされる。
非線形処理部１２７Ｇも同様に、液晶表示パネル部１１８Ｇに内蔵された液晶パネルに対応したγ補正処理を、デジタル緑色原色信号ＤＧＢに対して施してデジタル緑色原色信号ＤＧＣを出力する。
また非線形処理部１２７Ｂも、液晶表示パネル部１１８Ｂに内蔵された液晶パネルに対応したγ補正処理を、デジタル緑色原色信号ＤＢＢに対して施してデジタル緑色原色信号ＤＢＣを出力する。
【０００９】
γ補正部２６から出力される、γ補正がなされたデジタル赤色原色信号ＤＲＣ、デジタル緑色原色信号ＤＧＣ、デジタル青色原色信号ＤＢＣは、それぞれＤ／Ａ変換部１２８Ｒ、１２８Ｇ、１２８Ｂによってアナログ化され、γ補正がなされた赤色原色映像信号ＳＲＣ’、緑色原色映像信号ＳＧＣ’、青色原色映像信号ＳＢＣ’とされたうえで、それぞれ表示用駆動部１１７Ｒ、１１７Ｇ、１１７Ｂに供給される。
これにより、表示用駆動部１１７Ｒから赤色原色映像信号ＳＲＣ’に基づく表示用駆動信号ＳＤＲ’が得られて、それが液晶表示パネル部１１８Ｒに供給される。また、表示用駆動部１１７Ｇから緑色原色映像信号ＳＧＣ’に基づく表示用駆動信号ＳＤＧ’が得られて、それが液晶表示パネル部１１８Ｇに供給される。さらに、表示用駆動部１１７Ｂから青色原色映像信号ＳＢＣ’に基づく表示用駆動信号ＳＤＢ’が得られて、それが液晶表示パネル部１１８Ｂに供給される。
【００１０】
また、この図２２の画像表示装置の場合、水平同期信号ＳＨ及び垂直同期ＳＶの夫々に基づいてタイミング信号Ｔ１〜Ｔ６を形成するタイミング信号発生部１１９及びＰＬＬ部１２０が設けられている。
タイミング信号発生部１１９は、タイミング信号Ｔ１〜Ｔ６を表示用駆動部１１７Ｒ，１１７Ｇ，１１７Ｂ、及び液晶表示パネル部１１８Ｒ，１１８Ｇ，１１８Ｂに夫々供給して、これらの部位を、予め設定された所定のタイミングをもって動作させる。
【００１１】
それにより、液晶表示パネル部１１８Ｒが表示用駆動部１１７Ｒからの表示用駆動信号ＳＤＲ’により駆動され、液晶表示パネル部１１８Ｒにおいて、γ補正がなされた赤色原色映像信号ＳＲＣ’に応じた赤色原色画像が表示される状態とされる。
液晶表示パネル部１１８Ｇ、１１８Ｂでも同様に、γ補正がなされた緑色原色映像信号ＳＧＣ’、青色原色映像信号ＳＢＣ’に応じた緑色原色画像、青色原色画像が表示される状態とされる。
【００１２】
液晶表示パネル部１１８Ｒ，１１８Ｇ，１１８Ｂに夫々得られる赤色原色画像，緑色原色画像，青色原色画像は、例えば、投射レンズを含んだ投射用光学系を通じて投影スクリーンに重畳投射され、投影スクリーン上に赤色原色映像信号ＳＲ，緑色原色映像信号ＳＧ及び青色原色映像信号ＳＢにより形成されるカラー映像信号に基づくカラー画像が得られる。
【００１３】
このような従来の画像表示装置により、γ補正、即ちこの場合は、液晶表示パネル部１１８Ｒ，１１８Ｇ，１１８Ｂの夫々に内蔵された液晶パネルの入力電圧−光透過率特性の補正を行うことができるが、この場合のγ補正は、液晶表示パネル部１１８Ｒ，１１８Ｇ，１１８Ｂの夫々に内蔵された液晶パネルにおいて得られる画像画面の全体に分布する画素の夫々に対応するデジタル映像信号の画素データに対して、共通に行われることになってしまう。
即ち、例えば液晶パネルにおいて得られる画像画面の中央部における画素に対応するデジタル映像信号の画素データと、同画像画面の周辺部における画素に対応するデジタル映像信号の画素データとに、同一の非線形特性に基づくγ補正が行われることになり、斯かるγ補正によっては、液晶パネルにおける画面内の位置に応じた入力電圧−光透過率特性の相違については補正できない。
【００１４】
さらに、入力映像信号、即ち、赤色原色映像信号ＳＲ，緑色原色映像信号ＳＧ及び青色原色映像信号ＳＢの夫々におけるレベル変動に起因して生じる、液晶表示パネル部１１８Ｒ，１１８Ｇ，１１８Ｂに夫々得られる赤色原色画像，緑色原色画像，青色原色画像における不所望な輝度変動や色度変動まで補正されることにはならない。
【００１５】
そこで本出願人は先に、画面の水平垂直方向、つまり画面上の位置に応じた入力電圧−光透過率特性の補正を行うことができ、さらに信号レベルに応じた補正をも行うことができるようにした非線形処理装置及び画像表示装置を提案した（特願平９−２７１５９８号）。
これはつまり、γ補正された画素データを、画面上の二次元方向（水平・垂直方向）の位置と、レベルに応じて更に補正するもので、即ちγ補正処理に三次元補正を加えるものである。
【００１６】
まず水平垂直方向の補正とは次のようなものである。
図２３に水平垂直方向の補正のための水平垂直領域情報となる格子ブロックを示している。
この格子ブロックは、画面上のＸ方向（水平方向）とＹ方向（垂直方向）に、例えば１２８画素程度の単位毎に区切って格子状に複数のエリアを設定したものである。水平ラインと垂直ラインの各交点に与えられる補正値Ｃによって形成される。
例えばＸ方向に０〜ｐの座標を与え、Ｙ方向に０〜ｑの座標を与えるとすると、「・」を付した各交点座標において、図示するようにＣ（０，０）、Ｃ（０，１）・・・・Ｃ（ｐ，ｑ）として示す各補正値が設定される。つまり（ｐ＋１）×（ｑ＋１）個の補正値が設定される。
そして、これによって４つの交点座標（補正値）によって囲まれるエリアが（ｐ×ｑ）個形成される。各エリアを［１，１］［１，２］・・・［ｐ，ｑ］として示す。
【００１７】
γ補正に対するさらなる水平垂直方向の補正の際は、まず画素データが、このような格子ブロックに対してどのエリアに属するデータであるかを検出する。そして、エリアを判別したら、エリア内での位置も判別し、そのエリアを構成している４つの補正値によって二次元補正値を算出する。そしてγ補正された画像データを当該算出した二次元補正値でさらに補正することで、水平・垂直方向に応じた補正が可能となる。
例えば今、或る画素データｄｘｙを例にとっていえば、まずこの画素データｄｘｙがエリア［５，３］に含まれるデータであることを判別し、さらに、エリア［５，３］内でどの位置に有るかも判別する。
そして、エリア［５，３］に含まれるデータであるため、その周囲の４つの補正値Ｃ（４，２）、Ｃ（５，２）、Ｃ（４，３）、Ｃ（５，３）が用いられることになり、各補正値の交点座標から、エリア［５，３］内での画素データｄｘｙの距離によって、二次元補正値が算出される。
【００１８】
三次元補正は、このような二次元補正に加えてさらにＺ軸に信号レベルをとって三次元的に拡張したものである。
図２３の格子ブロックを、Ｚ軸方向に積み重ねて三次元構造とした様子を図２４に示す。
Ｚ軸方向として、信号レベルを０、１・・・ｒとして示すように数段階のレベル境界を設定する。各レベル境界において、図２３のような二次元の格子ブロックが設定されることで、三次元的な補正値構成となる。
即ちこの場合、補正値Ｃは三次元座標交点毎に設定されるものとなり、補正値Ｃは、Ｃ（０，０，０）・・・Ｃ（ｐ，ｑ，ｒ）が設定される。つまり（ｐ＋１）×（ｑ＋１）×（ｒ＋１）個の補正値が設定される。
そして、各レベル境界の間がレベルブロックＬ１，Ｌ２・・・Ｌｒとされる。
また、図２３に示したエリア［１，１］・・・［ｐ，ｑ］のそれぞれをＺ方向の各レベルブロックに突き抜けたブロックを位置ブロックと呼ぶ。詳しくは後述するが、図２に位置ブロックＡ［ｉ，ｊ］を示している。
【００１９】
この場合、γ補正に対する水平垂直方向及びレベルに応じたの三次元補正の際は、まず画素データが含まれるレベルブロック及び位置ブロックを判別する。
そして、レベルブロック及び位置ブロックを判別したら、レベルブロック内でのレベル及び位置ブロック内での位置も判別し、三次元補正値を算出する。この場合、或る画素データはレベルブロックと位置ブロックが交わる三次元ブロックに位置することになる。この三次元ブロックとは、つまり８つの補正値Ｃに囲まれたブロックである。従って、８つの補正値から、その三次元ブロック内での位置及びレベルに応じて、画素データに対応する三次元補正値が算出され、γ補正された画像データを当該算出した三次元補正値で、さらに補正することで、水平・垂直方向及び信号レベルに応じた補正が可能となる。
【００２０】
【発明が解決しようとする課題】
このような、本出願人が先に提案した技術により、非線形補正が施された映像信号を得るにあたり、その非線形補正が施された映像信号を、表示画面上の水平垂直の位置に応じた不所望な輝度変動や色度変動を補正し、さらに元の映像信号におけるレベル変動に起因して生じる、画像表示部に得られる表示画面の不所望な輝度変動や色度変動をも補正できるものとなる。
【００２１】
ところで、上記の水平垂直の２次元方向の補正値の格子ブロックと画像領域は、上下左右端が一致していることが好適である。
即ち、例えば図２３の格子ブロックにおける４隅の座標（０，０）（ｐ，０）（０，ｑ）（ｐ，ｑ）が、そのまま画像領域の４隅となっていることが理想である。
ここで、上記の非線形補正を行う回路を各種の表示デバイスに対する信号処理系として画像表示装置に搭載する場合を考えると、当然ながら、採用される表示デバイスの画面の解像度として各種のものが想定されるため、理想的には、解像度に応じて格子ブロックのサイズを変更して、一致させることが好ましい。
しかしながらこのためには、各種格子ブロックサイズに応じて膨大な補正値や座標値を備える必要などから回路規模が非常に大きくなってしまう。このため、通常は、格子ブロックとしては座標（及び補正値）を固定値として、１つの格子ブロックにより多様な解像度の表示デバイスに対応するようにしている。
【００２２】
ところがこれにより、格子ブロックと画像領域の関係が、上下及び左右に非対称な状態となり、この結果、二次元方向での非線形特性の補正を行うと、不自然な画像状態となってしまうことがある。
例えば、解像度の高いデバイスに対応する格子ブロックが設定されている非線形補正回路が、解像度の低い表示デバイスに対する信号処理系に組み込まれた場合、格子ブロックと画像領域の相対関係が図１９（ａ）に示すような状態となってしまう。
つまり座標（０，０）を起点として対応させることになるため、格子ブロックと画像領域のずれ量が水平方向にも垂直方向にも非対称な状態となり、この結果画像が不自然なものとなってしまう。
【００２３】
【課題を解決するための手段】
本発明はこのような状況に鑑みて、固定の格子ブロックを用いて非線形補正処理結果についての水平垂直方向の補正を行う非線形処理装置において、表示デバイスの解像度が格子ブロックに一致していなくても、補正によって不自然な画像となることが解消されるようにすることを目的とする。また、そのような非線形処理装置を搭載した画像表示装置も提供する。
【００２４】
本発明の非線形処理装置は、映像信号に基づく画像表示が行われる画像表示部の表示特性に応じた信号レベルについての非線形処理による映像信号の補正を行う非線形処理手段と、上記映像信号における画素の水平垂直方向の位置を判別する水平垂直位置判別手段と、上記水平垂直位置判別手段での判別に用いる水平垂直領域情報と、映像信号による画像領域との相対位置関係を変化させて、上記水平垂直位置判別手段での上記判別が行われるようにする水平垂直相対位置可変手段と、上記映像信号における画素の信号レベルを判別するレベル判別手段と、上記水平垂直位置判別手段で判別された水平垂直方向の位置及び上記レベル判別手段で判別された信号レベルに応じて、信号レベルについての三次元補正値を発生し、映像信号の三次元補正を行う三次元補正手段と、上記非線形処理手段で補正された映像信号と、上記三次元補正手段で補正された映像信号を合成して出力する合成手段とを備えるようにする。
【００２５】
また本発明の画像表示装置は、映像信号に基づく画像表示が行われる画像表示部の表示特性に応じた信号レベルについての非線形処理による映像信号の補正を行う非線形処理手段と、上記映像信号における画素の水平垂直方向の位置を判別する水平垂直位置判別手段と、上記水平垂直位置判別手段での判別に用いる水平垂直領域情報と、映像信号による画像領域との相対位置関係を変化させて、上記水平垂直位置判別手段での上記判別が行われるようにする水平垂直相対位置可変手段と、上記映像信号における画素の信号レベルを判別するレベル判別手段と、上記水平垂直位置判別手段で判別された水平垂直方向の位置及び上記レベル判別手段で判別された信号レベルに応じて、信号レベルについての三次元補正値を発生し、映像信号の三次元補正を行う三次元補正手段と、上記非線形処理手段で補正された映像信号と、上記三次元補正手段で補正された映像信号を合成して出力する合成手段と、上記合成手段から出力された映像信号に基づいて画像表示を行う画像表示部を有する画像表示手段と、を備えるようにする。
【００２６】
そして、これらの非線形処理装置、又は画像表示装置において、上記水平垂直相対位置可変手段は、上記水平垂直位置判別手段に対して水平方向のオフセット値、及び垂直方向のオフセット値を与えることで、上記相対位置関係を変化させるものとする。
また、上記水平垂直相対位置可変手段は、上記水平垂直領域情報と上記画像領域とのずれ量が、垂直又は水平方向に平均化されるように、上記相対位置関係を変化させるものとする。
【００２７】
即ち本発明では、非線形処理手段で非線形処理（γ補正）された映像信号に、三次元補正値による、画像表示部の表示画面における画素の水平方向及び垂直方向の位置及びその画素データの信号レベルに応じた、信号レベルについての三次元補正が施される。
そして、該三次元補正における水平垂直方向の二次元補正値の水平垂直領域情報（格子ブロック）と画像領域の位置関係を可変設定できるようにされていることで、各種の表示デバイスの解像度に対応して、不自然な補正結果となることを解消できるようにする。
【００２８】
【発明の実施の形態】
以下、本発明の実施の形態について次の順序で説明していく。
１．画像表示装置の構成
２．位置ブロック及びレベルブロック
３．非線形補正部の構成例▲１▼
４．非線形補正部の構成例▲２▼
５．非線形補正部の構成例▲３▼
６．非線形補正部の構成例▲４▼
７．非線形補正部の構成例▲５▼
８．非線形補正部の構成例▲６▼
【００２９】
１．画像表示装置の構成
まず図１により、実施の形態の画像表示装置としての構成例を説明する。
この画像表示装置は、表示デバイスとして液晶表示パネルを採用する画像表示装置の例としており、また映像信号をデジタル化してホワイトバランスや非線形処理等の信号処理を行う構成例としている。
そして特に、非線形補正部１６の構成に特徴を有するものであり、非線形補正部１６の構成については構成例▲１▼〜▲６▼として詳しく後述する。
本発明の画像表示装置としては、非線形補正部１６の前段までの信号処理系や非線形補正部１６の後段の信号処理系、及び採用される表示デバイスの種類等は、各種のものが考えられ、以下説明する画像表示装置の構成例に限定されるものではない。
【００３０】
図１に示す例においては、カラー映像信号を形成する赤色原色映像信号ＳＲ，緑色原色映像信号ＳＧ及び青色原色映像信号ＳＢが、夫々、Ａ／Ｄ変換部１１Ｒ，１１Ｇ及び１１Ｂにおいてデジタル化され、デジタル赤色原色信号ＤＲ，デジタル緑色原色信号ＤＧ及びデジタル青色原色信号ＤＢとされる。
そしてデジタル赤色原色信号ＤＲ，デジタル緑色原色信号ＤＧ及びデジタル青色原色信号ＤＢは、コントラスト・ブライトネス調整部１２に供給されて、夫々についてのコントラスト調整とブライトネス調整とが行われる。そして、コントラスト・ブライトネス調整部１２から得られる調整されたデジタル赤色原色信号ＤＲＡ，デジタル緑色原色信号ＤＧＡ及びデジタル青色原色信号ＤＢＡが、ホワイトバランス調整部１３に供給される。
【００３１】
ホワイトバランス調整部１３においては、デジタル赤色原色信号ＤＲＡについてのゲイン調整部１４Ｒによるゲイン調整、及び直流レベル調整部１５Ｒによる直流レベル調整が行われ、調整されたデジタル赤色原色信号ＤＲＢが得られる。同様に、デジタル緑色原色信号ＤＧＡについてのゲイン調整部１４Ｇによるゲイン調整、及び直流レベル調整部１５Ｇによる直流レベル調整が行われ、調整されたデジタル緑色原色信号ＤＧＢが得られる。
さらに同様に、デジタル青色原色信号ＤＢＡについてのゲイン調整部１４Ｂによるゲイン調整、及び直流レベル調整部１５Ｂによる直流レベル調整が行われ、調整されたデジタル青色原色信号ＤＢＢが得られる。
このようにして得られるデジタル赤色原色信号ＤＲＢ，デジタル緑色原色信号ＤＧＢ及びデジタル青色原色信号ＤＢＢは、相互間の相対直流レベルの設定が適正になされて、ホワイトバランス調整が行われたものとされる。
【００３２】
ホワイトバランス調整部１３から得られるデジタル赤色原色信号ＤＲＢ，デジタル緑色原色信号ＤＧＢ及びデジタル青色原色信号ＤＢＢは、非線形補正部１６に供給される。
非線形補正部１６においては、デジタル赤色原色信号ＤＲＢが非線形処理部１７Ｒと三次元補正部１８Ｒとに供給され、また、デジタル緑色原色信号ＤＧＢが非線形処理部１７Ｇと三次元補正部１８Ｒとに供給され、さらに、デジタル青色原色信号ＤＢＢが非線形処理部１７Ｂと三次元補正部１８Ｂとに供給される。
【００３３】
また、この図１に示される構成例の場合、赤色原色映像信号ＳＲ，緑色原色映像信号ＳＧ及び青色原色映像信号ＳＢにより形成されるカラー映像信号における水平同期信号ＳＨ及び垂直同期ＳＶが供給されるタイミング信号発生部５３、及びアドレスデータ発生部５５Ｒ，５５Ｇ，５５Ｂが設けられている。
タイミング信号発生部５３にはＰＬＬ部５４が接続されている。
タイミング信号発生部５３及びアドレスデータ発生部５５Ｒ，５５Ｇ，５５Ｂの夫々に供給される水平同期信号ＳＨ及び垂直同期ＳＶは、それらに対して、赤色原色映像信号ＳＲ，緑色原色映像信号ＳＧ及び青色原色映像信号ＳＢの夫々が同期状態にあるものとされる。
【００３４】
タイミング信号発生部５３は、水平同期信号ＳＨ及び垂直同期ＳＶの夫々に基づいてタイミング信号Ｔ１〜Ｔ６を形成する。
アドレスデータ発生部５５Ｒは、水平同期信号ＳＨ及び垂直同期信号ＳＶに応じて、後述する液晶表示パネル部５２Ｒに内蔵された液晶パネルに得られる画像画面における各画素に対応する水平アドレスデータＱＲＨ及び垂直アドレスデータＱＲＶを発生して、それらをデジタル非線形補正部１６における三次元補正部１８Ｒに供給する。
また、アドレスデータ発生部５５Ｇは、水平同期信号ＳＨ及び垂直同期信号ＳＶに応じて、液晶表示パネル部５２Ｇ内の液晶パネルに得られる画像画面における各画素に対応する水平アドレスデータＱＧＨ及び垂直アドレスデータＱＧＶを発生して、それらを三次元補正部１８Ｇに供給する。
また、アドレスデータ発生部５５Ｂは、水平同期信号ＳＨ及び垂直同期信号ＳＶに応じて、液晶表示パネル部５２Ｂ内の液晶パネルに得られる画像画面における各画素に対応する水平アドレスデータＱＢＨ及び垂直アドレスデータＱＢＶを発生して、それらを三次元補正部１８Ｂに供給する。
【００３５】
非線形補正部１６においては、入力されるデジタル赤色原色信号ＤＲＢに対応する部位として、非線形処理部１７Ｒ、三次元補正部１８Ｒ、合成部１９Ｒ、ＲＯＭ２０Ｒを備える。
また、デジタル緑色原色信号ＤＧＢに対応する部位として、非線形処理部１７Ｇ、三次元補正部１８Ｇ、合成部１９Ｇ、ＲＯＭ２０Ｇを備える。
さらに、デジタル青色原色信号ＤＢＢに対応する部位として、非線形処理部１７Ｂ、三次元補正部１８Ｂ、合成部１９Ｂ、ＲＯＭ２０Ｂを備える。
【００３６】
デジタル赤色原色信号ＤＲＢに対応する非線形処理部１７Ｒ、三次元補正部１８Ｒ、合成部１９Ｒ、ＲＯＭ２０Ｒについて説明する。
非線形処理部１７Ｒは、液晶表示パネル部５２Ｒの表示特性、即ち、液晶表示パネル部５２Ｒに内蔵された液晶パネルの入力電圧−光透過率特性とは逆の関係となる非線形特性をあらわすことになるγ補正データを格納しており、ホワイトバランス調整部１３から得られるデジタル赤色原色信号ＤＲＢの信号レベルに応じて、該当するγ補正データを読み出し、それらを信号レベルについての非線形処理（γ補正）がなされたデジタル赤色原色信号ＤＲＣとして導出する。
それにより、非線形処理部１７Ｒから導出されるデジタル赤色原色信号ＤＲＣは、液晶表示パネル部５２Ｒに内蔵された液晶パネルの、例えば、図２１に示した入力電圧−光透過率特性を補正するγ補正がなされたものとされ、合成部１９Ｒに供給される。
【００３７】
一方、三次元補正部１８Ｒは、アドレスデータ発生部５５Ｒからの水平アドレスデータＱＲＨ及び垂直アドレスデータＱＲＶに応じて、ホワイトバランス調整部１３から得られるデジタル赤色原色信号ＤＲＢにおける各画素データの信号レベルに、当該画素データに対応する液晶表示パネル部５２Ｒに内蔵された液晶パネルに得られる画像画面における画素の水平方向及び垂直方向の位置、及び、デジタル赤色原色信号ＤＲＢにおける当該画素データの信号レベルに応じた三次元補正を施す。
なお、三次元補正のための水平方向、垂直方向、レベル方向の３次元座標空間における各補正値Ｃは、ＲＯＭ２０Ｒに記憶され、三次元補正部１８Ｒは、このＲＯＭ２０Ｒの補正値Ｃをロードして演算に用いる。
そして、三次元補正部１８Ｒから得られる、斯かる信号レベルについての三次元補正がなされた各画素データにより形成される三次元補正デジタル赤色原色信号ＤＲＳが、合成部１９Ｒに供給される。
【００３８】
合成部１９Ｒにおいては、非線形処理部１７Ｒから得られる信号レベルについての非線形処理による補正が施されたデジタル赤色原色信号ＤＲＣと、三次元補正部１８Ｒから得られる信号レベルについての三次元補正が施された三次元補正デジタル赤色原色信号ＤＲＳとが合成される。それにより、合成部１９Ｒからは、γ補正に対して更に三次元補正がなされたデジタル赤色原色信号ＤＲＤが送出される。
【００３９】
デジタル緑色原色信号ＤＧＢに対応する、非線形処理部１７Ｇ、三次元補正部１８Ｇ、合成部１９Ｇ、ＲＯＭ２０Ｇ、及びアドレスデータ発生部５５Ｇについても、それぞれ上記同様に機能する。
即ち非線形処理部４７Ｇは、液晶表示パネル部５２Ｇに内蔵された液晶パネルの入力電圧−光透過率特性に対するγ補正を行い、γ補正されたデジタル緑色原色信号ＤＧＣを導出して合成部４９Ｇに供給する。
三次元補正部１８Ｇは、アドレスデータ発生部５５Ｇからの水平アドレスデータＱＧＨ及び垂直アドレスデータＱＧＶを用い、デジタル緑色原色信号ＤＧＢに対する画素データの水平方向及び垂直方向の位置、及び、デジタル緑色原色信号ＤＧＢにおける当該画素データの信号レベルに応じた三次元補正を施し、三次元補正デジタル緑色原色信号ＤＧＳを合成部４９Ｇに供給する。
合成部４９Ｇにおいては、非線形処理部４７Ｇから得られるデジタル緑色原色信号ＤＧＣと、三次元補正部４８Ｇから得られる三次元補正デジタル緑色原色信号ＤＧＳとを合成して出力することで、γ補正に対して更に三次元補正がなされたデジタル緑色原色信号ＤＧＤが送出される。
【００４０】
デジタル青色原色信号ＤＢＢに対応する、非線形処理部１７Ｂ、三次元補正部１８Ｂ、合成部１９Ｂ、ＲＯＭ２０Ｂ、及びアドレスデータ発生部５５Ｂについても、それぞれ上記同様に機能する。
即ち非線形処理部４７Ｂは、液晶表示パネル部５２Ｂに内蔵された液晶パネルの入力電圧−光透過率特性に対するγ補正を行い、γ補正されたデジタル青色原色信号ＤＢＣを導出して合成部４９Ｂに供給する。
三次元補正部１８Ｂは、アドレスデータ発生部５５Ｂからの水平アドレスデータＱＢＨ及び垂直アドレスデータＱＢＶを用い、デジタル緑色原色信号ＤＢＢに対する画素データの水平方向及び垂直方向の位置、及び、デジタル青色原色信号ＤＢＢにおける当該画素データの信号レベルに応じた三次元補正を施し、三次元補正デジタル青色原色信号ＤＢＳを合成部４９Ｂに供給する。
合成部４９Ｂにおいては、非線形処理部４７Ｂから得られるデジタル青色原色信号ＤＢＣと、三次元補正部４８Ｂから得られる三次元補正デジタル青色原色信号ＤＢＳとを合成して出力することで、γ補正に対して更に三次元補正がなされたデジタル青色原色信号ＤＢＤが送出される。
【００４１】
そして、デジタル非線形補正部１６から得られる非線形補正されたデジタル赤色原色信号ＤＲＤが、Ｄ／Ａ変換部５０Ｒによりアナログ化され、非線形補正された赤色原色映像信号ＳＲＤとされて、表示用駆動部５１Ｒに供給される。
同様に、非線形補正されたデジタル緑色原色信号ＤＧＤが、Ｄ／Ａ変換部５０Ｇによりアナログ化され、非線形補正された緑色原色映像信号ＳＧＤとされて表示用駆動部５１Ｇに供給される。
さらに、非線形補正されたデジタル青色原色信号ＤＢＤが、Ｄ／Ａ変換部５０Ｂによりアナログ化され、非線形補正された青色原色映像信号ＳＢＤとされて表示用駆動部５１Ｂに供給される。
【００４２】
表示用駆動部５１Ｒは液晶表示パネル部５２Ｒに接続されており、これらの表示用駆動部５１Ｒ及び液晶表示パネル部５２Ｒは、タイミング信号発生部５３からのタイミング信号Ｔ１及びＴ４が夫々供給され、タイミング信号Ｔ１及びＴ４に応じて、あらかじめ設定されたタイミングをもって動作する。
それにより、表示用駆動部５１Ｒから赤色原色映像信号ＳＲＤに基づく表示用駆動信号ＳＰＲが得られて、それが液晶表示パネル部５２Ｒに供給され、液晶表示パネル部５２Ｒにおいて、内蔵された液晶パネル上に、Ｄ／Ａ変換部５０Ｒから得られる非線形補正がなされた赤色原色映像信号ＳＲＤに応じた赤色原色画像が表示される状態が得られる。
【００４３】
また、表示用駆動部５１Ｇは液晶表示パネル部５２Ｇに接続されており、これらの表示用駆動部５１Ｇ及び液晶表示パネル部５２Ｇは、タイミング信号発生部５３からのタイミング信号Ｔ２及びＴ５が夫々供給され、タイミング信号Ｔ２及びＴ５に応じて、あらかじめ設定されたタイミングをもって動作する。
それにより、表示用駆動部５１Ｇから緑色原色映像信号ＳＧＤに基づく表示用駆動信号ＳＰＧが得られて、それが液晶表示パネル部５２Ｇに供給され、液晶表示パネル部５２Ｇにおいて、内蔵された液晶パネル上に、Ｄ／Ａ変換部５０Ｇから得られる非線形補正がなされた緑色原色映像信号ＳＧＤに応じた緑色原色画像が表示される状態が得られる。
【００４４】
さらに、表示用駆動部５１Ｂは液晶表示パネル部５２Ｂに接続されており、これらの表示用駆動部５１Ｂ及び液晶表示パネル部５２Ｂは、タイミング信号発生部５３からのタイミング信号Ｔ３及びＴ６が夫々供給され、タイミング信号Ｔ３及びＴ６に応じて、あらかじめ設定されたタイミングをもって動作する。
それにより、表示用駆動部５１Ｂから青色原色映像信号ＳＢＤに基づく表示用駆動信号ＳＰＢが得られて、それが液晶表示パネル部５２Ｂに供給され、液晶表示パネル部５２Ｂにおいて、内蔵された液晶パネル上に、Ｄ／Ａ変換部５０Ｂから得られる非線形補正がなされた青色原色映像信号ＳＢＤに応じた青色原色画像が表示される状態が得られる。
【００４５】
このようにして、液晶表示パネル部５２Ｒ，５２Ｇ及び５２Ｂに夫々得られる赤色原色画像，緑色原色画像及び青色原色画像は、例えば、投射レンズを含んだ投射用光学系を通じて投影スクリーンに重畳投射され、投影スクリーン上に赤色原色映像信号ＳＲ，緑色原色映像信号ＳＧ及び青色原色映像信号ＳＢにより形成されるカラー映像信号に基づくカラー画像が得られる。
【００４６】
液晶表示パネル部５２Ｒ，５２Ｇ及び５２Ｂに夫々得られる赤色原色画像，緑色原色画像及び青色原色画像の各々は、非線形補正部１６から得られる非線形補正されたデジタル赤色原色信号ＤＲＤ，デジタル緑色原色信号ＤＧＤ、デジタル青色原色信号ＤＢＤに基づくことになるが、本例の非線形補正が、液晶表示パネル部５２Ｒ，５２Ｇ，５２Ｂに内蔵された液晶パネルの、例えば、図２１に示した入力電圧−光透過率特性を補正すべく行われるγ補正と、デジタル赤色原色信号ＤＲＢ，デジタル緑色原色信号ＤＧＢ，デジタル青色原色信号ＤＢＢにおける各画素データの信号レベルに対して行われる、水平方向及び垂直方向の位置、及び信号レベルに応じた三次元補正とを含んだものとされることにより、液晶表示パネル部５２Ｒ，５２Ｇ，５２Ｂに内蔵された液晶パネルの画像画面上の位置による表示特性の相違に起因する表示画面の不所望な変化のみならず、元のアナログ映像信号である赤色原色映像信号ＳＲ，緑色原色映像信号ＳＧもしくは青色原色映像信号ＳＢにおけるレベル変動に起因して生じる、表示画面の不所望な輝度変動や色度変動も、適正に補正されるものとされる。
【００４７】
図１にはＣＰＵ１、ＲＯＭ２、ＲＡＭ３を示しているが、ＣＰＵ１は、当該画像表示装置の動作制御部として機能する。ＲＯＭ２はＣＰＵ１の動作プログラムや各種制御定数等が記憶される。ＲＡＭ３は各種制御係数の記憶や、演算等のワーク領域として用いられる。
特に図１に示した回路系に対しては、コントラスト・ブライトネス調整部１２，ホワイトバランス調整部１３，非線形補正部１６，タイミング信号発生部５３等に対する動作制御を行う。
例えばコントラスト・ブライトネス調整部１２，ホワイトバランス調整部１３に対する調整係数の設定や、非線形補正部１６の各三次元補正部１８Ｒ、１８Ｇ、１８Ｂに対して、レジスタ係数の設定或いは選択制御信号の供給などの処理を行う。各三次元補正部１８Ｒ、１８Ｇ、１８Ｂに対する制御については、後述する構成例▲１▼〜▲６▼において、それぞれ言及する。
【００４８】
なお上述もしたように、本発明の画像表示装置としては、非線形補正部１６に特徴を有し、他の信号処理系や採用される表示デバイスの種類等は図１の例に限定されるものではない。
信号処理回路としては、例えばＡ／Ｄ変換部１１Ｒ、１１Ｇ、１１Ｂとコントラスト・ブライトネス調整部１２の間などに、フレームメモリや画素数変換処理部などが設けられる構成も考えられる。
また表示デバイスとしては、例えばＣＲＴ（Cathode Ray Tube：陰極線管）、ＰＤＰ（Plasma Display Panel）、ＰＡＬＣ（Plasma Addressed Liquid Crystal）、ＤＬＰ（Digital Light Processing）など、あらゆる種類の表示デバイスが想定できる。もちろん採用される表示デバイスに応じて信号処理系も適宜変更される。
【００４９】
２．位置ブロック及びレベルブロック
後に、非線形補正部１６の構成例▲１▼〜▲６▼としてγ補正及び三次元補正について述べるが、まずここで、三次元補正に用いられる位置ブロック及びレベルブロックという概念について説明しておく。
【００５０】
図２３，図２４で述べたように、三次元補正のためには、水平、垂直、レベルの各方向のＸ，Ｙ，Ｚ軸による三次元座標の各交点座標において、補正値が設定される。
即ち、まず画面の水平垂直方向に関しては二次元の格子ブロックとして、画面上のＸ方向（水平方向）とＹ方向（垂直方向）に、例えば１２８画素程度の単位毎に区切って格子状に複数のエリアを設定する。そして例えばＸ方向に０〜ｐの座標を与え、Ｙ方向に０〜ｑの座標を与える。
さらにＺ軸方向として、信号レベルを０、１・・・ｒの数段階のレベル境界を設定する。各レベル境界において、二次元の格子ブロックが設定されることで、三次元的な補正値構成となる。
即ち補正値Ｃは三次元座標交点毎に設定されるものとなり、補正値Ｃは、Ｃ（０，０，０）・・・Ｃ（ｐ，ｑ，ｒ）が設定される。つまり（ｐ＋１）×（ｑ＋１）×（ｒ＋１）個の補正値が設定される。
そして、各レベル境界の間がレベルブロックＬ１，Ｌ２・・・Ｌｒとされる。
また、格子ブロックにおける図２３に示したエリア［１，１］・・・［ｐ，ｑ］のそれぞれをＺ方向の各レベルブロックに突き抜けたブロックを位置ブロックと呼ぶ。
【００５１】
図２は、補正値Ｃは、Ｃ（０，０，０）・・・Ｃ（ｐ，ｑ，ｒ）が設定された三次元空間を示している。即ち、Ｘ座標が０，１・・・ｉ−１，ｉ・・・ｐ、及びＹ座標が０，１・・・ｊ−１，ｊ・・・ｑで構成される格子ブロックが、レベル方向での各レベル境界０，１・・・ｋ，ｋ＋１・・・ｒにおいて形成された三次元構造である。
【００５２】
Ｘ座標値ｉ−１、ｉと、Ｙ座標値ｊ−１、ｊのエリアを考えた場合、位置ブロックＡ［ｉ，ｊ］とは、図示するように、レベル０におけるエリア［ｉ，ｊ］からレベルｒにおけるエリア［ｉ，ｊ］までを貫通したブロックである。
即ち補正値Ｃとしては、Ｃ（ｉ−１，ｊ−１，０）、Ｃ（ｉ，ｊ−１，０）、Ｃ（ｉ−１，ｊ，０）、Ｃ（ｉ，ｊ，０）・・・・Ｃ（ｉ−１，ｊ−１，ｒ）、Ｃ（ｉ，ｊ−１，ｒ）、Ｃ（ｉ−１，ｊ，ｒ）、Ｃ（ｉ，ｊ，ｒ）を含むブロックであり、これはレベル（Ｚ座標）に関わらず、二次元的な格子ブロックにおけるエリア（画面上の位置）を特定するブロックである。
従って位置ブロックとは、基本的には二次元座標交点での各補正値Ｃ（ｉ−１，ｊ−１）、Ｃ（ｉ，ｊ−１）、Ｃ（ｉ−１，ｊ）、Ｃ（ｉ，ｊ）で指定できるものとなる。
【００５３】
また、レベルブロックＬ１，Ｌ２・・・Ｌｒを図２４において示したが、レベルブロックＬとは、２つのレベル境界値における各格子ブロックに挟まれた空間をいう。
図３にレベルブロックＬkを示している。これはレベル境界値ｋにおける格子ブロック、即ち補正値Ｃ（０，０，ｋ）、Ｃ（ｐ，０，ｋ）、Ｃ（０，ｑ，ｋ）、Ｃ（ｐ，ｑ，ｋ）で囲まれる二次元空間と、レベル境界値ｋ−１における格子ブロック、即ち補正値Ｃ（０，０，ｋ−１）、Ｃ（ｐ，０，ｋ−１）、Ｃ（０，ｑ，ｋ−１）、Ｃ（ｐ，ｑ，ｋ−１）で囲まれる二次元空間とにより挟まれた空間である。
つまりレベルブロックＬとは、格子ブロックにおけるエリア（画面上の位置）に関わらず、画素データの信号レベルが、レベル境界値に区切られたどのレベルにあるかを特定するブロックである。
【００５４】
後述する三次元補正処理では、画素データについて、これらの位置ブロック、レベルブロックを判別するが、さらに、画素データについて、位置ブロック内での位置、レベルブロック内でのレベルも特定する。
【００５５】
位置ブロック内位置を図４で説明する。
図４に位置ブロックＡ［ｉ，ｊ］を示しているが、この位置ブロックＡ［ｉ，ｊ］に含まれることとなる画素データｄｘｙを考える。画素データｄｘｙのＸ座標値をｄｘ、Ｙ座標値をｄｙとする。
このとき、Ｘ座標値ｉ−１からｄｘの距離をｂ、Ｘ座標値ｉからｄｘの距離をｂ’とする。またＹ座標値ｊ−１からｄｙの距離をｃ、Ｙ座標値ｊからｄｙの距離をｃ’とする。
【００５６】
この距離ｂ、ｂ’、ｃ、ｃ’は、それぞれ二次元座標での各補正値Ｃ（ｉ−１，ｊ−１）、Ｃ（ｉ，ｊ−１）、Ｃ（ｉ−１，ｊ）、Ｃ（ｉ，ｊ）のそれぞれから画素データｄｘｙの距離を提示できる情報となる。
例えば画素データｄｘｙは、補正値Ｃ（ｉ−１，ｊ−１）からみれば、Ｘ方向に距離ｂ、Ｙ方向に距離ｃ離れた位置にあることが示される。
つまり距離ｂ、ｂ’、ｃ、ｃ’は、４つの各補正値Ｃからの画素データｄｘｙまでの距離を提示できる情報となり、画素データｄｘｙの位置における水平垂直方向の補正値を、設定された補正値Ｃ（ｉ−１，ｊ−１）、Ｃ（ｉ，ｊ−１）、Ｃ（ｉ−１，ｊ）、Ｃ（ｉ，ｊ）から算出するための情報となる。
位置ブロック内位置とは、このように位置ブロックの４つの補正値からの距離によって示される情報である。
【００５７】
次にレベルブロック内レベルを図５で説明する。
図５にはレベルブロックＬkをＺ軸のみで示している。レベルブロックＬkは、レベル境界値ｋ及びｋ−１の間のＺ軸方向の空間となるが、このレベルブロックＬkに含まれることとなる画素データを考える。該画素データのＺ座標値をｄｚとする。
このとき、Ｚ座標上で、レベル境界値ｋ−１からｄｚの距離をａ、レベル境界値ｋからｄｚの距離をａ’とする。
この距離ａ、ａ’は、それぞれレベル境界値ｋ−１及びレベル境界値ｋでの補正値Ｃのそれぞれから画素データｄｚの距離を提示できる情報となる。
【００５８】
ここで、上記位置ブロック内位置とレベルブロック内レベルを合わせて考えてみると、距離ａ、ａ’、ｂ、ｂ’、ｃ、ｃ’は、位置ブロックとレベルブロックの交差する三次元区間における８つの補正値のそれぞれからみた画素データの位置（距離）を定義できる情報となることが理解される。
つまり、位置ブロック内位置、及びレベルブロック内レベルとして、距離ａ、ａ’、ｂ、ｂ’、ｃ、ｃ’の情報が得られれば、三次元空間における画素データの位置に対応した補正値が、該三次元空間を形成する８個の補正値から算出できるものとなる。
【００５９】
３．非線形補正部の構成例▲１▼
図１の非線形補正部１６における構成例を以下、構成例▲１▼〜▲６▼として順次述べていく。
なお、各構成例としては、デジタル赤色原色信号ＤＲＢに対応する非線形処理部１７Ｒ、三次元補正部１８Ｒ、合成部１９Ｒ、ＲＯＭ２０Ｒについての構成及び動作としての説明していく。
デジタル緑色原色信号ＤＧＢに対応する非線形処理部１７Ｇ、三次元補正部１８Ｇ、合成部１９Ｇ、ＲＯＭ２０Ｇについての構成及び動作、又はデジタル青色原色信号ＤＢＢに対応する非線形処理部１７Ｂ、三次元補正部１８Ｂ、合成部１９Ｂ、ＲＯＭ２０Ｂについての構成及び動作は、実質的に同様であるので説明は省略する。
【００６０】
図６は非線形補正部１６の構成例▲１▼として、図１に示される非線形補正部１６におけるデジタル赤色原色信号ＤＲＢについての処理を行う部分、即ち、非線形処理部１７Ｒ，三次元補正部１８Ｒ、合成部１９Ｒ、ＲＯＭ２０Ｒを含む部分と、それに接続されたアドレスデータ発生部５５Ｒとを、非線形処理部１７Ｒ及び三次元補正部１８Ｒについての具体構成例をあらわすものとして示している。
【００６１】
非線形処理部１７Ｒは、例えばデュアルポートＲＡＭによるルックアップテーブル６１、γ補正データ発生部６２、例えばＲＯＭによるγ補正データ格納部６３を備える。
三次元補正部１８Ｒは、レベルブロック特定処理部６５、レベルブロック内レベル計算処理部６６、三次元補正データ発生部７０、三次元補間処理部７１、位置ブロック特定処理部７２、位置ブロック内位置計算処理部７３、位置ブロック内補正データ形成部７４、例えばデュアルポートＲＡＭによる補正データ格納部７５、位置ブロック内補正データ格納レジスタ７６、レベル配置データ格納レジスタ７７を備える。
合成部１９Ｒはデータ出力処理部６４により構成される。
【００６２】
図６の構成においては、図１のホワイトバランス調整部１３からのデジタル赤色原色信号ＤＲＢが、非線形処理部１７Ｒ及び三次元補正部１８Ｒの両者に供給される。
【００６３】
非線形処理部１７Ｒにおいては、デジタル赤色原色信号ＤＲＢがルックアップテーブル６１に供給される。
ルックアップテーブル６１においては、デジタル赤色原色信号ＤＲＢの信号レベルが逐次検出され、検出された信号レベルに応じてテーブル参照を行なう。即ちルックアップテーブル６１は、液晶表示パネル部５２Ｒに内蔵された液晶パネルの入力電圧−光透過率特性とは逆の関係となる非線形特性をあらわすことになるγ補正データテーブルを内蔵している。そして、デジタル赤色原色信号ＤＲＢの信号レベルに対応するγ補正データが逐次読み出される。
【００６４】
γ補正データテーブルにおけるγ補正データは、γ補正データ格納部６３に格納されており、γ補正データ発生部６２の動作によってルックアップテーブル６１内のγ補正データテーブルにセットされる。
【００６５】
このような非線形処理部１７Ｒによれば、非線形処理部１７Ｒに供給されるデジタル赤色原色信号ＤＲＢの信号レベルがγ補正データテーブルに照合されて、デジタル赤色原色信号ＤＲＢの信号レベルに対応するγ補正データが逐次読み出され、斯かるγ補正データが、信号レベルについての非線形処理によるγ補正されたデジタル赤色原色信号ＤＲＣとして導出されることになる。
このようにしてルックアップテーブル６１から導出されるデジタル赤色原色信号ＤＲＣは、液晶表示パネル部５２Ｒに内蔵された液晶パネルの、例えば、図２１に示したような入力電圧−光透過率特性を補正すべく、その信号レベルについてのγ補正がなされたものであって、合成部１９Ｒにおけるデータ出力処理部６４に供給される。
【００６６】
一方、三次元補正部１８Ｒにおいては、デジタル赤色原色信号ＤＲＢがレベルブロック特定処理部６５、及びレベルブロック内レベル計算処理部６６に供給される。
レベルブロック特定処理部６５は、デジタル赤色原色信号ＤＲＢが属する信号レベルの範囲、つまり上述したレベルブロックを特定する。
即ちＺ軸上に設定されたレベル境界値１，２・・・ｒと、供給されたデジタル赤色原色信号ＤＲＢの信号レベルを比較し、図３で述べたように信号レベルが含まれる範囲としての上下のレベル境界値ｋ、ｋ−１を判別して、レベルブロックＬｋを特定する。
つまり、図５のように画素データの信号レベルをｄｚとしたとき、
（ｋ−１）≦ｄｚ＜ｋ
であればレベルブロックＬｋと判定する。
そして、レベルブロック特定処理部６５は、特定されたレベルブロックＬｋをあらわすレベルブロックデータＤＬｋを、レベルブロック内レベル計算処理部６６及び三次元補正データ発生部７０に送出する。
【００６７】
レベルブロック内レベル計算処理部６６は、レベルブロックデータＤＬｋに応じて、供給されたデジタル赤色原色信号ＤＲＢの信号レベルに対応するレベルブロックＬｋ内のレベルを算出する計算処理を行う。
なお、この計算処理のため、レベルブロック内レベル計算処理部６６には図２に示した全ての補正値ＣについてのＺ座標値が記憶されている。
【００６８】
この計算処理は、図５で説明したように距離ａ、ａ’を求める処理となる。
即ち、供給されたデジタル赤色原色信号ＤＲＢの信号レベルに対応するレベルをあらわすＺ座標を、例えばｄｚとしたとき、
ｄｚ ＝（ｋ−１）＋ａ＝ ｋ−ａ’
の関係に基づき、Ｚ座標差ａ、ａ’として、
ａ ＝ ｄｚ−（ｋ−１）、
ａ’＝ ｋ−ｄｚ
の演算で行われる。
そして、Ｚ座標差ａ及びａ’をあらわすＺ座標差データＤＺａ及びＤＺａ’を三次元補間処理部７１に供給する。
【００６９】
水平同期信号ＳＨ及び垂直同期信号ＳＶが供給されるアドレスデータ発生部５５Ｒには、クロック信号ＣＬも供給され、アドレスデータ発生部５５Ｒから、クロック信号ＣＬの周期をもって順次変化していく水平アドレスデータＱＲＨ及び垂直アドレスデータＱＲＶが出力され、それらが位置ブロック特定処理部７２及び位置ブロック内位置計算処理部７３に供給される。
【００７０】
位置ブロック特定処理部７２は、対象となっている画素データについて、液晶表示パネル部５２Ｒに内蔵された液晶パネル上に形成される画像画面に対応される、上述した格子ブロック内としての位置ブロックＡ[１，１] ，Ａ[１，２] ，Ａ[１，３] ，・・・， Ａ[１，ｑ] ， Ａ[２，０] ，・・・， Ａ[２，ｑ] ，Ａ[３，０] ，・・・， Ａ[３，ｑ] ，・・・・・， Ａ[ｐ，０] ，・・・， Ａ[ｐ，ｑ]のいずれかを特定する。
即ち、アドレスデータ発生部５５Ｒからの水平アドレスデータＱＲＨ及び垂直アドレスデータＱＲＶに応じて、供給されたデジタル赤色原色信号ＤＲＢの各画素データに対応する液晶表示パネル部５２Ｒに内蔵された液晶パネル上に形成される画像画面における画素（対応画素）が、位置ブロックＡ[１，１]〜Ａ[ｐ，ｑ] のうちのいずれに属するかを検知し、対応画素が属する、例えば、位置ブロック Ａ[ｉ，ｊ] を特定する。
【００７１】
上記図４のように対応画素ｄｘｙについてＸ座標をｄｘ、Ｙ座標をｄｙとすると、
（ｉ−１）≦ｄｘ＜ｉ
（ｊ−１）≦ｄｙ＜ｊ
であれば、対応画素ｄｘｙは位置ブロックＡ［ｉ，ｊ］に含まれると特定する。
【００７２】
そして、位置ブロック特定処理部７２は、特定された位置ブロックＡ[ｉ，ｊ]をあらわす一対の位置ブロックデータＤＸｉ及びＤＹｊを、位置ブロック内位置計算処理部７３，位置ブロック内補正データ形成部７４及び三次元補正データ発生部７０に送出する。
【００７３】
位置ブロック内位置計算処理部７３は、水平アドレスデータＱＲＨ及び垂直アドレスデータＱＲＶ、及び、特定された位置ブロック Ａ[ｉ，ｊ] をあらわす一対の位置ブロックデータＤＸｉ及びＤＹｊに応じて、対応画素の位置ブロックＡ[ｉ，ｊ] 内における位置を算出する計算処理を行う。
この計算処理は、図４で説明したように距離ｂ、ｂ’、ｃ、ｃ’を求める処理となる。
即ち、供給されたデジタル赤色原色信号ＤＲＢの対応画素の位置をあらわすＸ座標及びＹ座標を、ｄｘ及びｄｙとしたとき、
ｄｘ ＝（ｉ−１）＋ｂ ＝ ｉ−ｂ’
ｄｙ ＝（ｊ−１）＋ｃ ＝ ｊ−ｃ’
という関係から、Ｘ座標差ｂ、ｂ’、Ｙ座票差ｃ、ｃ’として、
ｂ ＝ ｄｘ−（ｉ−１）
ｂ’＝ ｉ−ｄｘ
ｃ ＝ ｄｙ−（ｊ−１）
ｃ’＝ ｊ−ｄｙ
を求めることによって行われる。
そして、Ｘ座標差ｂ及びｂ’をあらわすＸ座標差データＤＸｂ及びＤＸｂ’とＹ座標差ｃ及びｃ’をあらわすＹ座標差データＤＹｃ及びＤＹｃ’とが、三次元補間処理部７１に供給される。
【００７４】
位置ブロック内補正データ形成部７４は、位置ブロックデータＤＸｉ及びＤＹｊに応じたデータ読出制御信号ＣＸＹを補正データ格納部７５に送出する。
補正データ格納部７５は、図２に示したように、互いに直交する座標軸Ｘ，座標軸Ｙ及び座標軸Ｚによって設定される座標空間において、各交点に設定される補正値Ｃ（０，０，０）・・・・Ｃ（ｐ，ｑ，ｒ）を格納している。
即ち、合計（ｐ＋１）×（ｑ＋１）×（ｒ＋１）個の交点座標の夫々に対応する補正値Ｃを内蔵している。
これらの補正値Ｃは、ＲＯＭ２０Ｒからロードされて格納される。
なお従って、ＲＯＭ２０Ｒに、補正値Ｃ（０，０，０）・・・・Ｃ（ｐ，ｑ，ｒ）としての補正値群が、複数単位記憶されていれば、ロードする補正値群を選択することで、補正値を変更することも可能である。
【００７５】
そして、補正データ格納部７５においては、位置ブロック内補正データ形成部７４から送出される、位置ブロックデータＤＸｉ及びＤＹｊに応じたデータ読出制御信号ＣＸＹに従って、位置ブロックＡ［ｉ，ｊ］に含まれる複数の補正値Ｃを補正データＤＰＣとして読み出して位置ブロック内補正データ形成部７４に出力する。
即ち補正データＤＰＣは、レベル境界０（Ｚ＝０）の平面における位置ブロック Ａ[ｉ，ｊ] を規定する４個の交点座標の補正値Ｃ（ｉ−１，ｊ−１，０），Ｃ（ｉ−１，ｊ，０），Ｃ（ｉ，ｊ−１，０），Ｃ（ｉ，ｊ，０）と、レベル境界１（Ｚ＝１）の平面における位置ブロック Ａ[ｉ，ｊ] を規定する４個の交点座標の補正値Ｃ（ｉ−１，ｊ−１，１），Ｃ（ｉ−１，ｊ，１），Ｃ（ｉ，ｊ−１，１），Ｃ（ｉ，ｊ，１）と・・・・・・・レベル境界ｒ（Ｚ＝ｒ）の平面における位置ブロック Ａ[ｉ，ｊ] を規定する４個の交点座標の補正値Ｃ（ｉ−１，ｊ−１，ｒ），Ｃ（ｉ−１，ｊ，ｒ），Ｃ（ｉ，ｊ−１，ｒ），Ｃ（ｉ，ｊ，ｒ）としての、合計４×（ｒ＋1)個の補正値である。
【００７６】
このようにして、位置ブロック内補正データ形成部７４から位置ブロックデータＤＸｉ及びＤＹｊに応じたデータ読出制御信号ＣＸＹに従って読み出される４×（ｒ＋１）個の補正値Ｃとしての補正データＤＰＣは、位置ブロック内補正データ形成部７４を通じて、位置ブロック内補正データ格納レジスタ７６に格納される。
【００７７】
三次元補正データ発生部７０は、位置ブロック特定処理部７２からの位置ブロック Ａ[ｉ，ｊ] をあらわす一対の位置ブロックデータＤＸｉ及びＤＹｊ、及び、レベルブロック特定処理部６５からのレベルブロックＬｋをあらわすレベルブロックデータＤＬｋに応じて、位置ブロック内補正データ格納レジスタ７６に格納された４×（ｒ＋１）個の補正値Ｃのうちの、レベルブロックＬｋを規定するＺ(k-1) 平面とＺｋ平面との夫々における位置ブロック Ａ[ｉ，ｊ] を規定する合計８個の交点座標の補正値Ｃを読み出す。
即ち三次元補正データ発生部７０は、この８個の交点座標の補正値Ｃの読出のためデータ読出制御信号（アドレス）を、位置ブロック内補正データ格納レジスタ７６に送出し、それにより、位置ブロック内補正データ格納レジスタ７６から、レベル境界値(k-1)の平面内の位置ブロック Ａ[ｉ，ｊ] を規定する４個の補正値Ｃ（ｉ−１，ｊ−１，ｋ−１），Ｃ（ｉ−１，ｊ，ｋ−１) ，Ｃ（ｉ，ｊ−１，ｋ−１），Ｃ（ｉ，ｊ，ｋ−１）、及び、レベル境界値ｋの平面における位置ブロック Ａ[ｉ，ｊ] を規定する４個の補正値Ｃ（ｉ−１，ｊ−１，ｋ），Ｃ（ｉ−１，ｊ，ｋ) ，Ｃ（ｉ，ｊ−１，ｋ），Ｃ（ｉ，ｊ，ｋ）として、合計８個の補正値Ｃが補正データＤＰＣ’として読み出され、三次元補正データ発生部７０を通じて、三次元補間処理部７１に供給される。
【００７８】
三次元補間処理部７１には、レベルブロック内レベル計算処理部６６で算出されたＺ座標差ａ及びａ’をあらわすＺ座標差データＤＺａ及びＤＺａ’と、位置ブロック内位置計算処理部７３で算出されたＸ座標差ｂ及びｂ’をあらわすＸ座標差データＤＸｂ及びＤＸｂ’と、Ｙ座標差ｃ及びｃ’をあらわすＹ座標差データＤＹｃ及びＤＹｃ’として、合計６個の座標差データが供給されている。
そして三次元補間処理部７１は、この６個の座標差データをパラメータとして、位置ブロック内補正データ格納レジスタ７６から読み出された合計８個の補正データＤＰＣ’、即ち、８個の交点座標の補正値Ｃ（ｉ−１，ｊ−１，ｋ−１），Ｃ（ｉ−１，ｊ，ｋ−１) ，Ｃ（ｉ，ｊ−１，ｋ−１），Ｃ（ｉ，ｊ，ｋ−１）、Ｃ（ｉ−１，ｊ−１，ｋ），Ｃ（ｉ−１，ｊ，ｋ) ，Ｃ（ｉ，ｊ−１，ｋ），Ｃ（ｉ，ｊ，ｋ）に関する三次元補間処理が行われる。
これによって、対応画素を定めたデジタル赤色原色信号ＤＲＢの画素データの信号レベルに関する三次元補正信号が形成され、それが三次元補間処理部７１から三次元補正デジタル赤色原色信号ＤＲＳとして送出される。
【００７９】
三次元補間処理部７１において行われる、Ｚ座標差データＤＺａ及びＤＺａ’，Ｘ座標差データＤＸｂ及びＤＸｂ’、及び、Ｙ座標差データＤＹｃ及びＤＹｃ’をパラメータとした、８個の補正値の夫々に関する三次元補間処理は、例えば、線形補間処理とされ、下記により表される座標位置（Ｘ，Ｙ，Ｚ）に対応する補正データに該当するものとされる。
【００８０】
0003997734.tif 000002
【００８１】
このようにして、三次元補間処理部７１から送出される三次元補正デジタル赤色原色信号ＤＲＳは、合成部４９Ｒのデータ出力処理部６４に供給される。そしてデータ出力処理部６４において、非線形処理部４７Ｒからのデジタル赤色原色信号ＤＲＣが、三次元補正デジタル赤色原色信号ＤＲＳと合成されて、γ補正及び三次元補正がなされたデジタル赤色原色信号ＤＲＤを形成する。
【００８２】
非線形補正部１６において、ここまで説明した構成によってγ補正及び三次元補正が行われることになり、これによって、非線形補正が施された映像信号を得るにあたり、その非線形補正が施された映像信号を、表示画面上の水平垂直の位置に応じた不所望な輝度変動や色度変動を補正し、さらに元の映像信号におけるレベル変動に起因して生じる、画像表示部に得られる表示画面の不所望な輝度変動や色度変動をも補正できるものとなる。
【００８３】
そしてさらに本例の非線形補正部１６においては、三次元補正部１８Ｒにおいて、レベル配置データ格納レジスタ７７が設けられている。
レベル配置データ格納レジスタ７７は、Ｚ軸方向の境界レベル１，２・・・ｒとして述べていた各境界レベル値としての（ｒ＋１）個の実際のレベル値群を保持するレジスタである。
このレベル配置データ格納レジスタ７７は、図７のようにｒ＋１個のレジスタ７７−０，７７−１、７７−２・・・７７−ｒを備えている。
今、図２においてＺ軸方向の境界レベル１，２・・・ｒとして述べていた各境界レベル値をＺ０、Ｚ１、Ｚ２・・・Ｚｒとして示すとすると、レジスタ７７−０，７７−１、７７−２・・・７７−ｒのそれぞれには、図１に示したＣＰＵ１からのレジスタ書込制御信号ＤLSによって、各境界レベル値Ｚ０、Ｚ１、Ｚ２・・・Ｚｒがセットされる構成となっている。
【００８４】
そしてレベル配置データ格納レジスタ７７は、レジスタ７７−０，７７−１、７７−２・・・７７−ｒに格納されている各境界レベル値Ｚ０、Ｚ１、Ｚ２・・・Ｚｒを、レベル配置データＺｎとしてレベルブロック特定処理部６５に供給するものとされている。
レベルブロック特定処理部６５は、供給されたレベル配置データＺｎ（Ｚ０〜Ｚｒ）を、Ｚ軸方向の各境界レベル１，２・・・ｒとしての実際のレベル境界値として、上述したレベルブロックを特定する処理を行うものとなる。
【００８５】
つまり本例の場合、ＣＰＵ１がレジスタ書込制御信号ＤLSによって、各境界レベル値Ｚ０、Ｚ１、Ｚ２・・・Ｚｒを書き換えることで、Ｚ軸方向の各境界レベル１，２・・・ｒとしての実際のレベル境界値を、任意に可変設定できる構成とされている。
【００８６】
例えば、Ｚ軸方向に１０２４の分解能でレベル判別を行うとし、また８個のレベルブロックに分割すると仮定する。
このときに、各境界レベル１，２・・・ｒを等間隔に配置するものとする場合は、図８（ａ）のように、境界レベル値Ｚ０〜Ｚｒ（＝Ｚ８）の値を、レジスタ７７−０，７７−１、７７−２・・・７７−ｒに書き込めばよい。
即ちＺ０＝０、Ｚ１＝１２７、Ｚ２＝２５５・・・・Ｚ８（Ｚｒ）＝１０２３とする。
すると、レベルブロック特定処理部６５は、等間隔に８個のレベルブロックｌ１、Ｌ２・・・Ｌ８が設定されたとして、上述したレベルブロックの特定処理を行う。
例えば表示デバイスをＣＲＴとした時のγ補正特性に即して示せば、図９のように入力データレベルに関して等間隔のレベルブロックＬ１〜Ｌ８が設定されることになる。
【００８７】
また、液晶パネルの場合のγ補正特性を図１０に示しているが、このような特性の場合、傾きが急峻な領域でレベルブロックを細かく設定することで、三次元補正を精密化できる。
このような場合は、ＣＰＵ１は図８（ｂ）のように、境界レベル値Ｚ０〜Ｚｒ（＝Ｚ８）の値として、Ｚ０＝０、Ｚ１＝ｖａ１、Ｚ２＝ｖａ２・・・・Ｚ８（Ｚｒ）＝ｖａ８（＝１０２３）を、レジスタ７７−０，７７−１、７７−２・・・７７−ｒに書き込む。
すると、レベルブロック特定処理部６５は、低レベル領域で細かく、高レベル領域で大まかとなった８個のレベルブロックｌ１、Ｌ２・・・Ｌ８が設定されたとして、上述したレベルブロックの特定処理を行う。
これにより図１０に示されるように、液晶パネルのγ補正特性曲線に応じたレベルブロック設定ができる。
【００８８】
また、図１１は上記図９と同じくＣＲＴの場合のγ補正特性を示しているが、このような特性の場合も、傾きが急峻な領域でレベルブロックを細かく設定することで、三次元補正を精密化できる。
この場合は、ＣＰＵ１は図８（ｃ）のように、境界レベル値Ｚ０〜Ｚｒ（＝Ｚ８）の値として、Ｚ０＝０、Ｚ１＝ｖｂ１、Ｚ２＝ｖｂ２・・・・Ｚ８（Ｚｒ）＝ｖｂ８（＝１０２３）を、レジスタ７７−０，７７−１、７７−２・・・７７−ｒに書き込む。
すると、レベルブロック特定処理部６５は、高レベル領域で細かく、低レベル領域で大まかとなった８個のレベルブロックｌ１、Ｌ２・・・Ｌ８が設定されたとして、上述したレベルブロックの特定処理を行う。
これにより図１１に示されるように、ＣＲＴのγ補正特性曲線に応じたレベルブロック設定ができる。
【００８９】
この図８、及び図９〜図１１に挙げたレベル境界配置の例は一例に過ぎないが、即ち本例の場合は、表示デバイスの種別、或いは調整工程での作業などとして、ＣＰＵ１がレジスタ７７−０，７７−１、７７−２・・・７７−ｒに実際のレベル境界値を書き込んでいくことで、レベルブロック設定を任意に可変設定できるものとなる。
従って表示デバイスの種別や、デバイス個々の特性のバラツキなどに対応して、最適のレベルブロック設定が可能となり、三次元補正の精度を向上させることができる。
なお本例は、あくまでもレベル境界値（レベルブロックの境界）が可変設定できればよく、レベル境界値の変更に応じて補正データＣを変更する必要はない。つまり、例えばレベル境界（Ｚ軸）ｋでいえば、ｋレベルにおける補正値Ｃ（０，０，ｋ）〜Ｃ（ｐ，ｑ，ｋ）は、ｋ値が任意に変更されても、その変更されたｋ値での補正値Ｃ（０，０，ｋ）〜（ｐ，ｑ，ｋ）としてそのまま用いられるものである。
従って、レベル境界値が可変とされることが、その可変範囲を考慮して膨大な補正値Ｃを用意しなければならない、ということにはならない。
【００９０】
４．非線形補正部の構成例▲２▼
非線形補正部１６の構成例▲２▼を図１２に示す。なお、以下説明していく構成例▲２▼〜構成例▲６▼において、上記図６の構成例▲１▼と同一部分には同一符号を付して重複説明を避ける。γ補正、及び三次元補正に関する基本的な動作は同様となる。
【００９１】
図１２の構成例▲２▼においては、図６のレベル配置データ格納レジスタ７７に代えて、レベル配置データ選択部７８が設けられている点が、上記構成例▲１▼と異なる。
レベル配置データ選択部７８は、図１３のように構成される。即ちレベル配置データメモリ７８ａ及びレベル配置データセレクタ７８ｂが設けられる。
レベル配置データメモリ７８ａには、各種の表示デバイスＡ，Ｂ，・・・ｘにそれぞれ対応した記憶領域が設定されており、各領域には、それぞれ表示デバイスＡ，Ｂ，・・・ｘに対応したレベル配置データＺｎＡ、ＺｎＢ・・・Ｚｎｘが記憶されている。
例えばレベル配置データＺｎＡとは、或る表示デバイスＡ（例えば液晶パネル）に対応する境界レベル値Ｚ０〜Ｚｒとしてのデータ群である。
また例えばレベル配置データＺｎＢとは、或る表示デバイスＢ（例えばＣＲＴ）に対応する境界レベル値Ｚ０〜Ｚｒとしてのデータ群である。
【００９２】
そしてレベル配置データセレクタ７８ｂは、ＣＰＵ１からの選択制御信号ＤSELによって、レベル配置データＺｎＡ、ＺｎＢ・・・Ｚｎｘのうちの１つを選択してレベル配置データメモリ７８ａから読み出し、選択されたレベル配置データＺｎ＊としての各境界レベル値Ｚ０、Ｚ１、Ｚ２・・・Ｚｒを、レベル配置データＺｎとしてレベルブロック特定処理部６５に供給するものとされている。
図１２のレベルブロック特定処理部６５は、供給されたレベル配置データＺｎ（Ｚ０〜Ｚｒ）を、Ｚ軸方向の各境界レベル１，２・・・ｒとしての実際のレベル境界値として、上述したレベルブロックを特定する処理を行うものとなる。
【００９３】
つまり本例の場合、ＣＰＵ１が選択制御信号ＤSELによって、レベルブロック特定処理部６５においてレベルブロック判別に用いられる各境界レベル値Ｚ０、Ｚ１、Ｚ２・・・Ｚｒを可変設定できる構成とされている。
例えばレベル配置データメモリ７８ａに記憶されているレベル配置データＺｎＡとしての境界レベル値Ｚ０〜Ｚｒ（＝Ｚ８）の値が、図８（ｂ）のように、Ｚ０＝０、Ｚ１＝ｖａ１、Ｚ２＝ｖａ２・・・・Ｚ８（Ｚｒ）＝ｖａ８（＝１０２３）とされているとすると、選択制御信号ＤSELによってレベル配置データＺｎＡが選択された場合は、図１０のようなレベルブロック状態となる。
また、例えばレベル配置データメモリ７８ａに記憶されているレベル配置データＺｎＢとしての境界レベル値Ｚ０〜Ｚｒ（＝Ｚ８）の値が、図８（ｃ）のように、Ｚ０＝０、Ｚ１＝ｖｂ１、Ｚ２＝ｖｂ２・・・・Ｚ８（Ｚｒ）＝ｖｂ８（＝１０２３）とされているとすると、選択制御信号ＤSELによってレベル配置データＺｎＢが選択された場合は、図１１のようなレベルブロック状態となる。
【００９４】
つまり、この構成例▲２▼の場合は、レベル配置データメモリ７８ａに記憶されているレベル配置データＺｎＡ、ＺｎＢ・・・の種類数の範囲で、レベルブロック設定を可変できるものである。
この場合も、例えば各種の表示デバイスに対応して各種のレベル配置データＺｎＡ、ＺｎＢ・・・を記憶していれば、各種の表示デバイスに対応したレベルブロック設定を行って三次元補正精度を向上できる。
また、例えば或る種類の表示デバイスに対応した複数種類のレベル配置データＺｎＡ１、ＺｎＡ２・・・のように記憶していれば、特定の表示デバイスに対応する場合に、個体毎の特性のバラツキなどに対応して最適なレベルブロック設定を行って三次元補正精度を向上させることもできる。
【００９５】
もちろん、上記構成例▲１▼が全く任意に各境界レベル値を可変設定できることに比べれば、本例の場合は、あくまでレベル配置データメモリ７８ａに記憶されているレベル配置データＺｎＡ、ＺｎＢ・・・の種類数の範囲での可変となるため、そのレベルブロック設定の任意性は比較的小さくなるが、このことは、記憶させるレベル配置データＺｎＡ、ＺｎＢ・・・をそれぞれ実用度の高いデータとすることで、実際上はほとんど問題とならない。
また実際の可変も、最適なものを選択すればよいものとなるため、レベルブロック設定処理も簡略化される。例えば調整工程での設定作業が簡易化され、またＣＰＵ１の処理ソフトウエア負担も小さくできる。
【００９６】
そしてその上で、構成例▲１▼に比べて回路規模をかなり小さくし、実用性の高い回路とすることができる。
特に、記憶させるレベル配置データＺｎＡ、ＺｎＢ・・・としてのデータ値の設計によっては、回路規模の縮小を促進できる。
デジタル処理回路としてのレベルブロック特定処理部６５においては、各レベル境界値が、２のべき乗の値とされていると、演算負担が小さくなり、レベルブロック特定処理部６５の回路構成を簡略化できる。一方、構成例▲１▼のように、セット可能な各レベル境界値が全く任意である場合、２のべき乗の値となっていないレベル境界値にも対応しなければならないため、演算能力を高くしなければならず、回路規模を増大させる要因となる。
ここで、記憶させるレベル配置データＺｎＡ、ＺｎＢ・・・における各レベル境界値が、全て２のべき乗の値（例えば・・・３２、６４、１２８、１９２、２５６・・・などの値）を用いるようにするならば、２のべき乗以外のレベル境界値は設定され得ないことになり、つまりレベルブロック特定処理部６５の大幅な簡易化が可能となるものである。
【００９７】
これらのことから構成例▲２▼の場合は、三次元補正の精度向上として或る程度十分なものとなるとともに、回路規模の小型化を実現でき、実用性の高い非線形処理装置とできるという効果がある。
【００９８】
５．非線形補正部の構成例▲３▼
続いて非線形補正部１６の構成例▲３▼を図１４で説明する。
この構成例▲３▼においては、上記構成例▲１▼、▲２▼のようにレベル配置データＺｎ自体を可変設定する手段が設けられていないが、レベルオフセットデータレジスタ７９が設けられている。
またレベル配置データＺｎ自体を可変設定するものではないため、レベルブロック特定処理部６５には、固定のレベル配置データＺｎ（Ｚ０，Ｚ１・・・Ｚｒ）を記憶する記憶部６５ａが設けられている。例えば図１のように液晶パネルを表示デバイスとする場合、記憶部６５ａには、例えば図１５（ａ）に示したｖａ１、ｖａ２・・・ｖａ８に相当する値としてのレベル配置データＺ０，Ｚ１・・・Ｚｒが記憶され、図示するようにレベルブロックＬ１〜Ｌ８が設定された状態となっている。
【００９９】
レベルオフセットデータレジスタ７９には、ＣＰＵ１からの書込制御信号ＤLOFによって、或るオフセット値Ｚｓが書き込まれる。そしてそのオフセット値Ｚｓがレベルブロック特定処理部６５、及びレベルブロック内レベル計算処理部６６に供給される。
レベルブロック特定処理部６５、及びレベルブロック内レベル計算処理部６６は、各レベル境界値Ｚ１〜Ｚｒを、オフセット値Ｚｓだけずらした上で、レベルブロックの特定処理、及びレベルブロック内レベル計算処理を行うことになる。
【０１００】
構成例▲１▼において述べたように、レベルブロック特定処理部６５は、デジタル赤色原色信号ＤＲＢが属するレベルブロックを特定する。
即ちＺ軸上に設定されたレベル境界値１〜ｒ（この場合、記憶部６５に記憶されたＺ１〜Ｚｒ）と、供給されたデジタル赤色原色信号ＤＲＢの信号レベルを比較し、図３で述べたように信号レベルが含まれる範囲としての上下のレベル境界値ｋ（＝Ｚｋ）、ｋ−１（＝Ｚｋ−１）を判別して、レベルブロックＬｋを特定する。つまり基本的には、画素データの信号レベルｄｚが、Ｚｋ−１≦ｄｚ＜Ｚｋであれば、レベルブロックＬｋと判定する。
【０１０１】
ここで、この構成例▲３▼の場合、レベルブロック特定処理部６５は、例えば各レベルブロックをオフセット値Ｚｓだけ低レベル方向にシフトさせる場合において、画素データの信号レベルｄｚについて、
（Ｚｋ−１）−Ｚｓ≦ｄｚ＜Ｚｋ−Ｚｓ
であれば、レベルブロックＬｋと判定するものである。
なお、各レベルブロックをオフセット値Ｚｓだけ高レベル方向にシフトさせる場合は、
（Ｚｋ−１）＋Ｚｓ≦ｄｚ＜Ｚｋ＋Ｚｓ
であれば、レベルブロックＬｋと判定するものである。
【０１０２】
また、レベルブロック内レベル計算処理部６６は、レベルブロックデータＤＬｋに応じて、供給されたデジタル赤色原色信号ＤＲＢの信号レベルに対応するレベルブロックＬｋ内のレベルとして、Ｚ座標差ａ及びａ’を算出し、Ｚ座標差データＤＺａ及びＤＺａ’として三次元補間処理部７１に供給するものであるが、本例において、各レベルブロックをオフセット値Ｚｓだけ低レベル方向にシフトさせる場合には、Ｚ座標差ａ及びａ’はオフセット値Ｚｓを用いて次のように行われる。
ａ ＝ ｄｚ−（Ｚｋ−１）＋Ｚｓ
ａ’＝ Ｚｋ−ｄｚ−Ｚｓ
の演算で行われる。
なお、各レベルブロックをオフセット値Ｚｓだけ高レベル方向にシフトさせる場合は、
ａ ＝ ｄｚ−（Ｚｋ−１）−Ｚｓ
ａ’＝ Ｚｋ−ｄｚ＋Ｚｓ
とすればよい。
【０１０３】
レベルブロック特定処理部６５、レベルブロック内レベル計算処理部６６において、上記オフセット値Ｚｓを用いた処理が行われることで、実際のレベル境界が例えば図１５（ａ）の状態から図１５（ｂ）の状態にオフセット値Ｚｓ分だけシフトされることになり、つまりレベルブロック設定状態が変化される。
つまりこの構成例▲３▼の場合は、レベル境界値をオフセット値Ｚｓによりシフトさせること、換言すればＣＰＵ１が書込制御信号ＤLOFにより最適のオフセット値Ｚｓを設定することで、三次元補正の精度向上を実現できる。
またオフセットデータレジスタ７９を設けるのみで、レベルブロック可変設定が可能あるため、回路構成も簡易なものとなり、実用性は高い。
さらに、記憶部６５ａに記憶される。各レベル境界値Ｚ０〜Ｚｒが、全て２のべき乗の値であれば、レベルブロック特定処理部６５の回路構成も簡易なものとすることができる。
【０１０４】
なお、この例では１つのオフセット値Ｚｓを任意に設定できるものとしたが、例えば複数のオフセット値を設定できるようにしてもよい。例えば低レベル領域、中レベル領域、高レベル領域のそれぞれのレベル境界値に対応してそろぞれ別のオフセット値Ｚｓを与えることができるようにしたり、或いはレベル境界値Ｚ０〜Ｚｒのそれぞれに個別にオフセット値を与えることができるようにしてもよい。このようにすることで、より精度の良いレベルブロック設定が可能となる。
【０１０５】
６．非線形補正部の構成例▲４▼
続いて非線形補正部１６の構成例▲４▼を図１６で説明する。
この構成例▲４▼は、上記構成例▲２▼、▲３▼を組み合わせたものである。つまり、例えば図１３のような構成のレベル配置データ選択部７８が設けられ、ＣＰＵ１からの選択制御信号ＤSELによってレベル配置データＺｎを可変設定できるものとされる。
そして、さらにオフセットデータレジスタ７９が設けられ、ＣＰＵ１からの書込制御信号ＤLOFによってオフセット値Ｚｓが設定され、レベルブロック特定処理部６５及びレベルブロック内レベル計算処理部６６に供給されて、上記構成例▲３▼で述べたようにレベルブロックの境界値（レベル配置データ）のシフトが行われるものとされている。
【０１０６】
従って、この構成例▲４▼によれば、構成例▲２▼のようにレベルブロック設定を、表示デバイス等に応じて適切なものにできるとともに、さらにオフセット値Ｚｓの設定により、より最適な状態に調整できるものとなる。
【０１０７】
７．非線形補正部の構成例▲５▼
次に非線形補正部１６の構成例▲５▼を説明する。
この構成例▲５▼は、レベル方向のレベル境界値（レベルブロック設定）を可変するものではなく、水平垂直方向において、映像信号による画像領域と格子ブロックの相対位置関係を適切なものとするものである。
【０１０８】
水平垂直の２次元方向の補正値の格子ブロックと画像領域は、上下左右端が一致していることが最適である。即ち、例えば図２３の格子ブロックにおける４隅の座標（０，０）（ｐ，０）（０，ｑ）（ｐ，ｑ）が、そのまま画像領域の４隅となっていることが理想である。
しかしながら画像の解像度によって画像領域は異なる一方、多様な解像度に対応するため多数の格子ブロック（補正値）を用意することは、回路規模の増大などの事情から現実的ではない。
【０１０９】
そこで、１つの格子ブロックにより多様な解像度の表示デバイスに対応するようにしているが、これにより、格子ブロックと画像領域の関係が、上下及び左右に非対称な状態となり、この結果、二次元方向での非線形特性の補正を行うと、不自然な画像状態となってしまうことがある。
例えば、解像度の高いデバイスに対応する格子ブロックが設定されている非線形補正回路が、解像度の低い表示デバイスに対する信号処理系に組み込まれた場合、格子ブロックと画像領域の相対関係が図１９（ａ）に示すような状態となってしまう。
つまり座標（０，０）を起点として対応させることになるため、格子ブロックと画像領域のずれ量が水平方向にも垂直方向にも非対称な状態となり、この結果画像が不自然なものとなる。
【０１１０】
そこで本例では、水平垂直方向に画像領域と格子ブロックの相対位置関係を調整できるようにし、表示デバイスの解像度が格子ブロックに一致していなくても、補正によって不自然な画像となることが解消されるようにする。
【０１１１】
このための構成例▲５▼を図１７に示す。
この構成例▲５▼では、Ｈ方向オフセットレジスタ８０、Ｖ方向オフセットレジスタ８１が設けられている。
またレベル配置データＺｎについては、上述した各構成例とは異なり、可変設定するものではないため、レベルブロック特定処理部６５には、固定のレベル配置データＺｎ（Ｚ０，Ｚ１・・・Ｚｒ）を記憶する記憶部６５ａが設けられている。例えば図１のように液晶パネルを表示デバイスとする場合、記憶部６５ａには、例えば図１５（ａ）に示したｖａ１、ｖａ２・・・ｖａ８に相当する値としてのレベル配置データＺ０，Ｚ１・・・Ｚｒが記憶され、図示するようにレベルブロックＬ１〜Ｌ８が設定された状態となっている。本例においては、当該レベルブロック設定は固定となる。
【０１１２】
Ｈ方向オフセットレジスタ８０には、ＣＰＵ１からの書込制御信号ＤHOFによって、或るオフセット値Ｘｓが書き込まれる。そしてそのオフセット値Ｘｓが位置ブロック特定処理部７２、及び位置ブロック内位置計算処理部７３に供給される。
Ｖ方向オフセットレジスタ８１には、ＣＰＵ１からの書込制御信号ＤVOFによって、或るオフセット値Ｙｓが書き込まれる。そしてそのオフセット値Ｙｓが位置ブロック特定処理部７２、及び位置ブロック内位置計算処理部７３に供給される。
【０１１３】
位置ブロック特定処理部７２、及び位置ブロック内位置計算処理部７３は、各位置ブロックを形成する格子ブロックを、Ｈ（水平）方向及びＶ（垂直）方向にオフセット値Ｘｓ、Ｙｓだけずらした上で、位置ブロックの特定処理、及び位置ブロック内位置計算処理を行うことになる。
【０１１４】
構成例▲１▼において述べたように、位置ブロック特定処理部７２は、水平アドレスデータＱＲＨ及び垂直アドレスデータＱＲＶに基づいて、対象となっている画素データについて、格子ブロック内としての位置ブロックＡ[１，１] ・・・Ａ[ｐ，ｑ]のいずれかとしての位置ブロックＡ[ｉ，ｊ] を特定する。
ここで、この構成例▲５▼の場合、レベルブロック特定処理部６５は、オフセット値Ｘｓ、Ｙｓが供給され、画像領域と格子ブロックの相対位置を、このオフセット値Ｘｓ、Ｙｓだけ、水平、垂直方向にシフトさせて位置ブロック判別を行うものとなる。
【０１１５】
即ち、この場合は、図１８（ａ）のように対応画素ｄｘｙについてＸ座標をｄｘ、Ｙ座標をｄｙとすると、
（ｉ−１）≦（ｄｘ−Ｘｓ）＜ｉ
（ｊ−１）≦（ｄｙ−Ｙｓ）＜ｊ
であれば、対応画素ｄｘｙは位置ブロックＡ［ｉ，ｊ］に含まれると特定する。
これは、対応画素ｄｘｙの格子ブロック上の位置が、図１８（ｂ）に示されるようにオフセット値Ｘｓ、Ｙｓだけ移動されたことになる。
【０１１６】
そして、位置ブロック特定処理部７２は、特定された位置ブロック Ａ[ｉ，ｊ] をあらわす一対の位置ブロックデータＤＸｉ及びＤＹｊを、位置ブロック内位置計算処理部７３，位置ブロック内補正データ形成部７４及び三次元補正データ発生部７０に送出する。
【０１１７】
位置ブロック内位置計算処理部７３は、水平アドレスデータＱＲＨ及び垂直アドレスデータＱＲＶ、及び、特定された位置ブロック Ａ[ｉ，ｊ] をあらわす一対の位置ブロックデータＤＸｉ及びＤＹｊに応じて、対応画素の位置ブロックＡ[ｉ，ｊ] 内における位置を算出する計算処理を行う。更にこの際にオフセット値Ｘｓ、Ｙｓも計算に用いる。
【０１１８】
位置ブロック内位置の情報は、例えば構成例▲１▼等においては図４で説明したように距離ｂ、ｂ’、ｃ、ｃ’を求める処理となる。この距離ｂ、ｂ’が、Ｘ座標差データＤＸｂ、ＤＸｂ’となり、距離ｃ及びｃ’がＹ座標差データＤＹｃ、ＤＹｃ’とされる。
ところが、位置ブロックの特定においてオフセット値Ｘｓ、Ｙｓが与えられることにより、図１８（ａ）と図１８（ｂ）を比較してわかるように距離ｂ、ｂ’、ｃ、ｃ’（ＤＸｂ、ＤＸｂ’、ＤＹｃ、ＤＹｃ’）は変化する。
従って本例の場合は、位置ブロック内位置計算処理部７３は、図１８（ｂ）における、距離ｂ、ｂ’、ｃ、ｃ’（ＤＸｂ、ＤＸｂ’、ＤＹｃ、ＤＹｃ’）を計算することになる。
【０１１９】
従って、
ｂ ＝ ｄｘ−Ｘｓ−（ｉ−１）
ｂ’＝ ｉ−ｄｘ＋Ｘｓ
ｃ ＝ ｄｙ−Ｙｓ−（ｊ−１）
ｃ’＝ ｊ−ｄｙ＋Ｙｓ
を求めることによって行われる。
そして、Ｘ座標差ｂ及びｂ’をあらわすＸ座標差データＤＸｂ及びＤＸｂ’とＹ座標差ｃ及びｃ’をあらわすＹ座標差データＤＹｃ及びＤＹｃ’とが、三次元補間処理部７１に供給する。
【０１２０】
以上のように、位置ブロック特定処理部７２、位置ブロック内位置計算処理部７３において、上記オフセット値Ｘｓ，Ｙｓを用いた処理が行われることで、格子ブロックと画像領域の関係を、図１９（ａ）の状態から例えば図１９（ｂ）の状態のように変化させることができる。
つまりこの構成例▲５▼の場合は、オフセット値Ｘｓ、Ｙｓの設定により、格子ブロックと画像領域の関係を調整することができ、これによって、解像度の都合によって画像領域と格子ブロックにおいて上下左右端が一致しない場合でも、非線形特性の補正の結果により不自然な画像となることを解消できる。
特に例えば図１９（ｂ）のように、格子ブロックと画像領域とのずれ量が、垂直又は水平方向に平均化されるように相対位置関係を変化させることが不自然な画像の解消に最も好適である。
【０１２１】
また、Ｈ方向オフセットレジスタ８０、Ｖ方向オフセットレジスタ８１を設けるのみで調整が可能であり、しかも格子ブロック（水平垂直方向の補正値群）を１つ用意すれば良いことなどから、小規模の回路構成とでき、実用性の高いものとなる。
【０１２２】
８．非線形補正部の構成例▲６▼
図２０に構成例▲６▼を示す。
この構成例▲６▼は、上記構成例▲２▼、▲３▼、▲５▼を組み合わせたものである。つまり、例えば図１３のような構成のレベル配置データ選択部７８が設けられ、ＣＰＵ１からの選択制御信号ＤSELによってレベル配置データＺｎを可変設定できるものとされる。
また、オフセットデータレジスタ７９が設けられ、ＣＰＵ１からの書込制御信号ＤLOFによってオフセット値Ｚｓが設定され、レベルブロック特定処理部６５及びレベルブロック内レベル計算処理部６６に供給されて、上記構成例▲３▼で述べたようにレベルブロックの境界値（レベル配置データ）のシフトが行われるものとされている。
そしてさらに、Ｈ方向オフセットレジスタ８０、Ｖ方向オフセットレジスタ８１が設けられる。
Ｈ方向オフセットレジスタ８０には、ＣＰＵ１からの書込制御信号ＤHOFによってオフセット値Ｘｓが書き込まれ、そのオフセット値Ｘｓが位置ブロック特定処理部７２、及び位置ブロック内位置計算処理部７３に供給される。
Ｖ方向オフセットレジスタ８１には、ＣＰＵ１からの書込制御信号ＤVOFによってオフセット値Ｙｓが書き込まれ、そのオフセット値Ｙｓが位置ブロック特定処理部７２、及び位置ブロック内位置計算処理部７３に供給される。
これによって上述したように格子ブロックと画像領域の相対位置関係を好適な状態に調整できるものとされる。
【０１２３】
従って、この構成例▲６▼によれば、構成例▲２▼のようにレベルブロック設定を、表示デバイス等に応じて適切なものにできるとともに、さらに構成例▲３▼のようにオフセット値Ｚｓの設定により、より最適な状態に調整できる。また構成例▲５▼のように格子ブロックと画像領域の相対位置関係を好適な状態に調整することで不自然な画像を解消できるものとされる。
【０１２４】
以上、構成例▲１▼〜▲６▼として非線形補正部１６の構成例を述べてきたが、非線形補正部１６の構成としては、他にも各例が考えられる。また、構成例▲１▼〜▲６▼の他の組み合わせ例も可能である。
また、このような非線形補正部１６を備えた画像表示装置としても、その構成例は多様に考えられ、各種の表示デバイスに対応できる機器として実現可能である。
【０１２５】
【発明の効果】
以上の説明からわかるように本発明によれば、非線形処理手段で非線形処理（γ補正）された映像信号に、三次元補正値による、画像表示部の表示画面における画素の水平方向及び垂直方向の位置及びその画素データの信号レベルに応じた、信号レベルについての三次元補正が施されることで、精密なγ補正が可能となる上で、画面の解像度に応じて最適な位置関係で水平垂直領域情報（格子ブロック）を配置することが可能となる。これによって、画像領域と格子ブロックにおいて上下左右端が一致しない場合でも、非線形特性の補正の結果により不自然な画像となることを解消できるという効果がある。特に格子ブロックと画像領域とのずれ量が、垂直又は水平方向に平均化されるように、相対位置関係を変化させることが最も好適である。
そしてこれによって、本発明の非線形処理装置は、多様な解像度の表示デバイスによる画像表示装置に好適に適用できるものとなる。
【０１２６】
また、１つの格子ブロックを用意すれば良いことや、水平及び垂直方向のオフセットを与えることで位置関係を変化させる構成とすることで、小規模の回路構成とでき、実用性の高いものとなる。
【図面の簡単な説明】
【図１】本発明の実施の形態の画像表示装置のブロック図である。
【図２】実施の形態の位置ブロックの説明図である。
【図３】実施の形態のレベルブロックの説明図である。
【図４】実施の形態の位置ブロック内位置の説明図である。
【図５】実施の形態のレベルブロック内レベルの説明図である。
【図６】実施の形態の非線形補正部の構成例▲１▼のブロック図である。
【図７】実施の形態の非線形補正部の構成例▲１▼におけるレベル配置データ格納レジスタのブロック図である。
【図８】実施の形態のレベル境界値の可変設定の説明図である。
【図９】実施の形態のレベル境界値設定例の説明図である。
【図１０】実施の形態のレベル境界値設定例の説明図である。
【図１１】実施の形態のレベル境界値設定例の説明図である。
【図１２】実施の形態の非線形補正部の構成例▲２▼のブロック図である。
【図１３】実施の形態の非線形補正部の構成例▲２▼におけるレベル配置データ選択部のブロック図である。
【図１４】実施の形態の非線形補正部の構成例▲３▼のブロック図である。
【図１５】実施の形態の構成例▲３▼▲４▼のレベル境界値のオフセットの説明図である。
【図１６】実施の形態の非線形補正部の構成例▲４▼のブロック図である。
【図１７】実施の形態の非線形補正部の構成例▲５▼のブロック図である。
【図１８】実施の形態の構成例▲５▼▲６▼の水平垂直方向のオフセットの説明図である。
【図１９】実施の形態の構成例▲５▼▲６▼の画像領域と格子ブロックの関係の説明図である。
【図２０】実施の形態の非線形補正部の構成例▲６▼のブロック図である。
【図２１】液晶パネルの入力電圧−光透過率の特性の説明図である。
【図２２】従来の画像表示装置のブロック図である。
【図２３】γ特性の二次元補正の説明図である。
【図２４】γ特性の三次元補正の説明図である。
【符号の説明】
１  ＣＰＵ、２  ＲＯＭ、３  ＲＡＭ、１１Ｒ，１１Ｇ，１１Ｂ  Ａ／Ｄ変換部 １２  コントラスト・ブライトネス調整部、１３  ホワイトバランス調整部 １６  非線形補正部、１７Ｒ，１７Ｇ，１７Ｂ、非線形処理部 １８Ｒ，１８Ｇ，１８Ｂ  三次元補正部、１９Ｒ，１９Ｇ，１９Ｂ、合成部、５０Ｒ，５０Ｇ，５０Ｂ  Ｄ／Ａ変換部、５１Ｒ，５１Ｇ，５１Ｂ  表示用駆動部、５２Ｒ，５２Ｇ，５２Ｂ  液晶表示パネル部、５３  タイミング信号発生部、５４  ＰＬＬ部、５５Ｒ，５５Ｇ，５５Ｂ  アドレスデータ発生部、６１  ルックアップテーブル、６２  γ補正データ発生部、６３  γ補正データ格納部、６４  データ出力処理部、６５  レベルブロック特定処理部、６６  レベルブロック内レベル計算処理部、７０  三次元補正データ発生部、７１  三次元補間処理部、７２  位置ブロック特定処理部、７３  位置ブロック内位置計算処理部、７４  位置ブロック内補正データ形成部、７５  補正データ格納部、７６  位置ブロック内補正データ格納レジスタ、７７  レベル配置データ格納レジスタ、７８  レベル配置データ選択部、７９  レベルオフセットデータレジスタ、８０  Ｈ方向オフセットレジスタ、８１  Ｖ方向オフセットレジスタ
【図１】
0003997734.tif 000003
【図２】
0003997734.tif 000004
【図３】
0003997734.tif 000005
【図４】
0003997734.tif 000006
【図５】
0003997734.tif 000007
【図６】
0003997734.tif 000008
【図７】
0003997734.tif 000009
【図８】
0003997734.tif 000010
【図９】
0003997734.tif 000011
【図１０】
0003997734.tif 000012
【図１１】
0003997734.tif 000013
【図１２】
0003997734.tif 000014
【図１３】
0003997734.tif 000015
【図１４】
0003997734.tif 000016
【図１５】
0003997734.tif 000017
【図１６】
0003997734.tif 000018
【図１７】
0003997734.tif 000019
【図１８】
0003997734.tif 000020
【図１９】
0003997734.tif 000021
【図２０】
0003997734.tif 000022
【図２１】
0003997734.tif 000023
【図２２】
0003997734.tif 000024
【図２３】
0003997734.tif 000025
【図２４】
0003997734.tif 000026